(57)【特許請求の範囲】
【請求項１】
端末に伝送するためのパケットに対して、サービスフローに適用されているＱｏＳ（Ｑｕａｌｉｔｙ  ｏｆ  Ｓｅｒｖｉｃｅ）パラメータに基づいて、上記ＱｏＳパラメータにマッピングされた無線区間専用のＱｏＳパラメータを確認する確認部；
上記パケットの送信時、上記確認した無線区間専用のＱｏＳパラメータを適用して、上記パケットを無線区間専用のＱｏＳレベルで送信する送信部；
コアネットワークによってサービスフローに適用されているＱｏＳパラメータの各々に無線区間専用のＱｏＳパラメータがマッピングされたマッピングルールを保存するように構成された保存部；及び
コアネットワークでサービスフローに適用するＱｏＳパラメータ別に無線区間専用のＱｏＳパラメータをマッピングさせたマッピングルールを保存する保存部；を含み、
上記マッピングルールは、
相異なる２以上のＱｏＳパラメータが同一の一つの無線区間専用のＱｏＳパラメータとマッピングされることを特徴とする基地局装置。
【請求項２】
上記マッピングルールは、
無線区間専用のＱｏＳパラメータの個数よりもＱｏＳパラメータの個数がより多いことを特徴とする請求項１に記載の基地局装置。
【請求項３】
上記２以上のＱｏＳパラメータは、
コアネットワークが、特定サイズ以下の少量データを周期的に伝送する通信サービス、またはモノのインターネット（Ｉｎｔｅｒｎｅｔ  ｏｆ  Ｔｈｉｎｇｓ）サービスに適用するＱｏＳパラメータであることを特徴とする請求項１に記載の基地局装置。
【請求項４】
端末に伝送するためのパケットに対して、サービスフローに適用されているＱｏＳ（Ｑｕａｌｉｔｙ  ｏｆ  Ｓｅｒｖｉｃｅ）パラメータに基づいて、上記ＱｏＳパラメータにマッピングされた無線区間専用のＱｏＳパラメータを確認する確認部；
上記パケットの送信時、上記確認した無線区間専用のＱｏＳパラメータを適用して、上記パケットを無線区間専用のＱｏＳレベルで送信する送信部；
コアネットワークによってサービスフローに適用されているＱｏＳパラメータの各々に無線区間専用のＱｏＳパラメータがマッピングされたマッピングルールを保存するように構成された保存部；及び
コアネットワークでサービスフローに適用するＱｏＳパラメータ別に無線区間専用のＱｏＳパラメータをマッピングさせたマッピングルールを保存する保存部；を含み、
上記マッピングルールは、
特定ＱｏＳパラメータが適用される一つのサービスフローに対して、サービスフロー内に含まれた各コンテンツのＱｏＳ別に無線区間専用のＱｏＳパラメータがマッピングされ、
上記特定ＱｏＳパラメータは、
帯域幅を保証しないＮｏｎ−ＧＢＲをサービスタイプとして有するＱｏＳパラメータであることを特徴とする基地局装置。
【請求項５】
端末に伝送するためのパケットに対して、サービスフローに適用されているＱｏＳ（Ｑｕａｌｉｔｙ  ｏｆ  Ｓｅｒｖｉｃｅ）パラメータに基づいて、上記ＱｏＳパラメータにマッピングされた無線区間専用のＱｏＳパラメータを確認する確認部；
上記パケットの送信時、上記確認した無線区間専用のＱｏＳパラメータを適用して、上記パケットを無線区間専用のＱｏＳレベルで送信する送信部；
コアネットワークによってサービスフローに適用されているＱｏＳパラメータの各々に無線区間専用のＱｏＳパラメータがマッピングされたマッピングルールを保存するように構成された保存部；及び
コアネットワークでサービスフローに適用するＱｏＳパラメータ別に無線区間専用のＱｏＳパラメータをマッピングさせたマッピングルールを保存する保存部；を含み、
上記マッピングルールは、
特定ＱｏＳパラメータが適用される一つのサービスフローに対して、サービスフロー内に含まれた各コンテンツのＱｏＳ別に無線区間専用のＱｏＳパラメータがマッピングされ、
上記確認部は、
上記サービスフローに適用されているＱｏＳパラメータが上記特定ＱｏＳパラメータである場合、上記パケットのヘッダでサービス品質類型（ＤｉｆｆＳｅｒｖ）確認のためのＤＳＣＰフィールドを確認してコンテンツのＱｏＳを確認し、
上記マッピングルールで上記確認したコンテンツのＱｏＳにマッピングされた無線区間専用のＱｏＳパラメータを確認することを特徴とする基地局装置。
【請求項６】
端末に伝送するためのパケットに対して、サービスフローに適用されているＱｏＳ（Ｑｕａｌｉｔｙ  ｏｆ  Ｓｅｒｖｉｃｅ）パラメータに基づいて、上記ＱｏＳパラメータにマッピングされた無線区間専用のＱｏＳパラメータを確認する確認部；
上記パケットの送信時、上記確認した無線区間専用のＱｏＳパラメータを適用して、上記パケットを無線区間専用のＱｏＳレベルで送信する送信部；
コアネットワークによってサービスフローに適用されているＱｏＳパラメータの各々に無線区間専用のＱｏＳパラメータがマッピングされたマッピングルールを保存するように構成された保存部；及び
上記確認した無線区間専用のＱｏＳパラメータを識別可能にするＱｏＳ制御情報を含むＲＲＣメッセージを上記端末に伝送する制御情報伝達部；を含むことを特徴とする基地局装置。
【請求項７】
端末に伝送するためのパケットに対して、サービスフローに適用されているＱｏＳ（Ｑｕａｌｉｔｙ  ｏｆ  Ｓｅｒｖｉｃｅ）パラメータに基づいて、上記ＱｏＳパラメータにマッピングされた無線区間専用のＱｏＳパラメータを確認する確認部；
上記パケットの送信時、上記確認した無線区間専用のＱｏＳパラメータを適用して、上記パケットを無線区間専用のＱｏＳレベルで送信する送信部；
コアネットワークによってサービスフローに適用されているＱｏＳパラメータの各々に無線区間専用のＱｏＳパラメータがマッピングされたマッピングルールを保存するように構成された保存部；
コアネットワークでサービスフローに適用するＱｏＳパラメータ別に無線区間専用のＱｏＳパラメータをマッピングさせたマッピングルールを保存する保存部；及び
上記端末がターゲット基地局にハンドオーバーする場合、上記マッピングルールを上記ターゲット基地局に伝達するハンドオーバー制御部；を含み、
上記ターゲット基地局は、
上記ハンドオーバー過程中に基地局装置からフォワーディング（ｆｏｒｗａｒｄｉｎｇ）される上記端末のパケットを、上記マッピングルールを基に上記基地局装置と同一に変換された無線区間専用のＱｏＳレベルで送信することを特徴とする基地局装置。
【請求項８】
上記ハンドオーバー制御部は、
ソース基地局からハンドオーバーされる端末に対して上記ソース基地局で利用するマッピングルールが伝達されると、
上記ハンドオーバー過程中に上記ソース基地局からフォワーディングされる上記端末のパケットを、上記ソース基地局から伝達されたマッピングルールを基に上記ソース基地局と同一に変換された無線区間専用のＱｏＳレベルで送信するように、上記確認部及び上記送信部と連動することを特徴とする請求項７に記載の基地局装置。
【請求項９】
上記ハンドオーバー制御部は、
上記端末で上記ハンドオーバー時に利用中の通信サービスによるアップリンクパケット送信の完了及び上記ハンドオーバーの完了が確認されると、
上記確認時点以後、上記端末のパケットを、上記ソース基地局から伝達されたマッピングルールの代わりに上記保存部に予め保存されているマッピングルールを基に変換される無線区間専用のＱｏＳレベルで送信するように、上記確認部及び上記送信部と連動することを特徴とする請求項８に記載の基地局装置。
【請求項１０】
端末に伝送するためのパケットに対して、サービスフローに適用されているＱｏＳ（Ｑｕａｌｉｔｙ  ｏｆ  Ｓｅｒｖｉｃｅ）パラメータに基づいて、上記ＱｏＳパラメータにマッピングされた無線区間専用のＱｏＳパラメータを確認する確認部；
上記パケットの送信時、上記確認した無線区間専用のＱｏＳパラメータを適用して、上記パケットを無線区間専用のＱｏＳレベルで送信する送信部；
コアネットワークによってサービスフローに適用されているＱｏＳパラメータの各々に無線区間専用のＱｏＳパラメータがマッピングされたマッピングルールを保存するように構成された保存部；
コアネットワークでサービスフローに適用するＱｏＳパラメータ別に無線区間専用のＱｏＳパラメータをマッピングさせたマッピングルールを保存する保存部；及び
上記端末がターゲット基地局にハンドオーバーする場合、上記サービスフロー単位のパケットナンバー情報を上記ターゲット基地局に伝達するハンドオーバー制御部；を含み、
上記ターゲット基地局は、
上記ハンドオーバー過程中に基地局装置からフォワーディング（ｆｏｒｗａｒｄｉｎｇ）される上記端末のパケットを上記基地局装置と相異なって変換された無線区間専用のＱｏＳレベルで送信しても、上記パケットナンバー情報を基に上記サービスフロー単位のパケットナンバー順序を維持することを特徴とする基地局装置。
【請求項１１】
無線区間のＱｏＳ制御方法において、
基地局装置が、端末に伝送するためのパケットのサービスフローに適用されているＱｏＳパラメータに基づいて、上記ＱｏＳパラメータにマッピングされた無線区間専用のＱｏＳパラメータを確認する確認段階； 
上記基地局装置が、上記パケットの送信時、上記確認した無線区間専用のＱｏＳパラメータを適用して、上記パケットを無線区間専用のＱｏＳレベルで送信する送信段階；
コアネットワークによってサービスフローに適用されているＱｏＳパラメータの各々に無線区間専用のＱｏＳパラメータがマッピングされたマッピングルールを保存する保存段階；及び
コアネットワークでサービスフローに適用するＱｏＳパラメータ別に無線区間専用のＱｏＳパラメータをマッピングさせたマッピングルールを保存する段階；を含み、
上記マッピングルールは、
相異なる２以上のＱｏＳパラメータが同一の一つの無線区間専用のＱｏＳパラメータとマッピングされることを特徴とする無線区間のＱｏＳ制御方法。
【請求項１２】
無線区間のＱｏＳ制御方法において、
基地局装置が、端末に伝送するためのパケットのサービスフローに適用されているＱｏＳパラメータに基づいて、上記ＱｏＳパラメータにマッピングされた無線区間専用のＱｏＳパラメータを確認する確認段階； 
上記基地局装置が、上記パケットの送信時、上記確認した無線区間専用のＱｏＳパラメータを適用して、上記パケットを無線区間専用のＱｏＳレベルで送信する送信段階；
コアネットワークによってサービスフローに適用されているＱｏＳパラメータの各々に無線区間専用のＱｏＳパラメータがマッピングされたマッピングルールを保存する保存段階；
コアネットワークでサービスフローに適用するＱｏＳパラメータ別に無線区間専用のＱｏＳパラメータをマッピングさせたマッピングルールを保存する段階；
上記基地局装置が、上記端末がターゲット基地局にハンドオーバーする場合、上記マッピングルールを上記ターゲット基地局に伝達する段階；及び
上記ターゲット基地局が、上記ハンドオーバー過程中に上記基地局装置からフォワーディング（ｆｏｒｗａｒｄｉｎｇ）される上記端末のパケットを、上記マッピングルールを基に上記基地局装置と同一に変換された無線区間専用のＱｏＳレベルで送信する段階；を含むことを特徴とする無線区間のＱｏＳ制御方法。
【請求項１３】
ハンドオーバーされる端末に対してソース基地局から上記ソース基地局のマッピングルールが伝達される段階をさらに含み；
上記確認段階及び上記送信段階は、
上記ソース基地局のマッピングルールが伝達された場合、上記ハンドオーバー過程中に上記ソース基地局からフォワーディングされる上記端末のパケットを、上記ソース基地局から伝達されたマッピングルールを基に上記ソース基地局と同一に変換された無線区間専用のＱｏＳレベルで送信することを特徴とする請求項１２に記載の無線区間のＱｏＳ制御方法。
【請求項１４】
上記確認段階及び上記送信段階は、
上記端末で上記ハンドオーバー時に利用中の通信サービスによるアップリンクパケット送信の完了及び上記ハンドオーバーの完了が確認されると、
上記確認時点以後、上記端末のパケットを、上記ソース基地局から伝達されたマッピングルールの代わりに上記予め保存されているマッピングルールを基に変換される無線区間専用のＱｏＳレベルで送信することを特徴とする請求項１３に記載の無線区間のＱｏＳ制御方法。
【発明の詳細な説明】
【技術分野】
【０００１】
本発明は、通信サービスのパケット伝送時、ＱｏＳレベルを異にして伝送するＱｏＳ制御技術に関するものである。
【０００２】
より詳しくは、本発明は、既存のベアラ単位のＱｏＳ制御方式に対比して、複雑度及び負荷の増加なしに、無線区間でより細かい単位で差等的なＱｏＳ制御を実現するための技術に関するものである。
【背景技術】
【０００３】
移動通信システムでは、端末（ユーザー）が利用する通信サービスのメディア類型によってＱｏＳ（Ｑｕａｌｉｔｙ  ｏｆ  Ｓｅｒｖｉｃｅ）レベルを異にしている。また、移動通信システムでは、通信サービスのパケット伝送時、メディア類型に合うＱｏＳレベルを保証して伝送するＱｏＳ制御を提供している。
【０００４】
ＬＴＥネットワークで提供するＱｏＳ制御方式は、ＥＰＳ  Ｂｅａｒｅｒ単位のＱｏＳ制御方式（以下、ベアラ単位のＱｏＳ制御方式）である。
【０００５】
ＬＴＥネットワークで端末（ユーザー）が通信サービスを利用するためには、データを伝送するためのＥＰＳ  Ｂｅａｒｅｒ（以下、「Ｂｅａｒｅｒ」という）を生成することになる。このようなＥＰＳ  Ｂｅａｒｅｒ即ちＢｅａｒｅｒは、端末と基地局との間を連結する無線区間、及び、基地局とＳ−ＧＷとＰ−ＧＷとの間を連結する有線区間を連結して、端末からＰ−ＧＷまで生成されるトンネルと言える。
【０００６】
ユーザー（端末）のデータは、このトンネル即ちＢｅａｒｅｒを通してＩＰ基盤のパケット形態で伝送され、パケット伝送によるトラフィックフローをサービスフロー（Ｓｅｒｖｉｃｅ  Ｆｌｏｗ）と言う。
【０００７】
すなわち、以前は、端末（ユーザー）に提供していた通信サービスの種類が比較的限定的であったため、いくつかの種類の通信サービスをまとめて“Ｂｅａｒｅｒ”という論理的単位でＱｏＳを保証（適用）するベアラ単位のＱｏＳ制御方式を使用した。
【０００８】
したがって、既存のベアラ単位のＱｏＳ制御方式は、Ｂｅａｒｅｒ別にＱｏＳレベル（ＱｏＳパラメータ）を定義してベアラ単位でＱｏＳを保証するため、一つのＢｅａｒｅｒを通して伝送されるサービスフローはいずれも同一のＱｏＳ（ＢｅａｒｅｒのＱｏＳレベル）で伝送される。
【０００９】
結局、既存のベアラ単位のＱｏＳ制御方式は、ＱｏＳ制御の複雑度を低減できるとの長所があるが、一つのベアラに属したサービスフローに対して差等的なＱｏＳを保証することができないという限界がある。
【００１０】
このように既存のベアラ単位のＱｏＳ制御方式が有する限界は、通信サービスの種類が比較的限定的な状況では大きな問題にならない。
【００１１】
しかし、多様な種類の通信サービスが急速に開発／登場している現在または今後の状況（例：５Ｇ）では、既存のベアラ単位のＱｏＳ制御方式が有する限界を必ず改善しなければならないと言える。
【００１２】
よって、本発明では、既存のベアラ単位のＱｏＳ制御方式に対比して、複雑度及び負荷の増加なしに無線区間でより細かい単位で差等的なＱｏＳ制御を実現する方案を提案しようとする。
【発明の概要】
【発明が解決しようとする課題】
【００１３】
本発明で到逹しようとする目的は、既存のベアラ単位のＱｏＳ制御方式に対比して、複雑度及び負荷の増加なしに無線区間でより細かい単位で差等的なＱｏＳ制御を実現することにある。
【課題を解決するための手段】
【００１４】
本発明の一実施例によれば、基地局装置は、端末に伝送するためのパケットに対して、サービスフローに適用されているＱｏＳ（Ｑｕａｌｉｔｙ  ｏｆ  Ｓｅｒｖｉｃｅ）パラメータに基づいて、上記ＱｏＳパラメータにマッピングされた無線区間専用のＱｏＳパラメータを確認する確認部；及び、上記パケットの送信時、上記確認した無線区間専用のＱｏＳパラメータを適用して、上記パケットを無線区間専用のＱｏＳレベルで送信する送信部；を含む。
【００１５】
具体的に、コアネットワークでサービスフローに適用するＱｏＳパラメータ別に無線区間専用のＱｏＳパラメータをマッピングさせたマッピングテーブルを保存する保存部をさらに含むことができる。
【００１６】
具体的に、上記マッピングテーブルは、無線区間専用のＱｏＳパラメータの個数よりもＱｏＳパラメータの個数がより多くてもよい。
【００１７】
具体的に、上記マッピングテーブルは、相異なる２以上のＱｏＳパラメータが同一の一つの無線区間専用のＱｏＳパラメータとマッピングされることができる。
【００１８】
具体的に、上記２以上のＱｏＳパラメータは、コアネットワークが、特定サイズ以下の少量データを周期的に伝送する通信サービス、またはモノのインターネット（Ｉｎｔｅｒｎｅｔ  ｏｆ  Ｔｈｉｎｇｓ）サービスに適用するＱｏＳパラメータであり得る。
【００１９】
具体的に、上記マッピングテーブルは、特定ＱｏＳパラメータが適用される一つのサービスフローに対して、サービスフロー内に含まれた各コンテンツのＱｏＳ別に無線区間専用のＱｏＳパラメータがマッピングされることができる。
【００２０】
具体的に、上記特定ＱｏＳパラメータは、帯域幅を保証しないＮｏｎ−ＧＢＲをサービスタイプとして有するＱｏＳパラメータであり得る。
【００２１】
具体的に、上記確認部は、上記サービスフローに適用されているＱｏＳパラメータが上記特定ＱｏＳパラメータである場合、上記パケットのヘッダでサービス品質類型（ＤｉｆｆＳｅｒｖ）確認のためのＤＳＣＰフィールドを確認してコンテンツのＱｏＳを確認し、上記マッピングテーブルで上記確認したコンテンツのＱｏＳにマッピングされた無線区間専用のＱｏＳパラメータを確認することができる。
【００２２】
具体的に、上記確認した無線区間専用のＱｏＳパラメータを識別可能にするＱｏＳ制御情報を含むＲＲＣメッセージを上記端末に伝送する制御情報伝達部をさらに含むことができる。
【００２３】
具体的に、上記端末がターゲット基地局にハンドオーバーする場合、上記マッピングテーブルを上記ターゲット基地局に伝達するハンドオーバー制御部をさらに含み；上記ターゲット基地局は、上記ハンドオーバー過程中に上記基地局装置からフォワーディング（ｆｏｒｗａｒｄｉｎｇ）される上記端末のパケットを、上記マッピングテーブルを基に上記基地局装置と同一に変換された無線区間専用のＱｏＳレベルで送信することができる。
【００２４】
具体的に、上記ハンドオーバー制御部は、ソース基地局からハンドオーバーされる端末に対して上記ソース基地局で利用するマッピングテーブルが伝達されると、上記ハンドオーバー過程中に上記ソース基地局からフォワーディングされる上記端末のパケットを、上記ソース基地局から伝達されたマッピングテーブルを基に上記ソース基地局と同一に変換された無線区間専用のＱｏＳレベルで送信するように、上記確認部及び上記送信部と連動することができる。
【００２５】
具体的に、上記ハンドオーバー制御部は、上記端末で上記ハンドオーバー時に利用中の通信サービスによるアップリンクパケット送信の完了及び上記ハンドオーバーの完了が確認されると、上記確認時点以後、上記端末のパケットを、上記ソース基地局から伝達されたマッピングテーブルの代わりに上記保存部に予め保存されているマッピングテーブルを基に変換される無線区間専用のＱｏＳレベルで送信するように、上記確認部及び上記送信部と連動することができる。
【００２６】
具体的に、上記端末がターゲット基地局にハンドオーバーする場合、上記サービスフロー単位のパケットナンバー情報を上記ターゲット基地局に伝達するハンドオーバー制御部をさらに含み；上記ターゲット基地局は、上記ハンドオーバー過程中に上記基地局装置からフォワーディング（ｆｏｒｗａｒｄｉｎｇ）される上記端末のパケットを上記基地局装置と相異なって変換された無線区間専用のＱｏＳレベルで送信しても、上記パケットナンバー情報を基に上記サービスフロー単位のパケットナンバー順序を維持することができる。
【００２７】
本発明の一実施例によれば、無線区間のＱｏＳ制御方法は、基地局装置が、端末に伝送するためのパケットのサービスフローに適用されているＱｏＳパラメータに基づいて、上記ＱｏＳパラメータにマッピングされた無線区間専用のＱｏＳパラメータを確認する確認段階；及び、上記基地局装置が、上記パケットの送信時、上記確認した無線区間専用のＱｏＳパラメータを適用して、上記パケットを無線区間専用のＱｏＳレベルで送信する送信段階；を含む。
【００２８】
具体的に、コアネットワークでサービスフローに適用するＱｏＳパラメータ別に無線区間専用のＱｏＳパラメータをマッピングさせたマッピングテーブルを保存する段階をさらに含むことができる。
【００２９】
具体的に、上記基地局装置が、上記端末がターゲット基地局にハンドオーバーする場合、上記マッピングテーブルを上記ターゲット基地局に伝達する段階；上記ターゲット基地局が、上記ハンドオーバー過程中に上記基地局装置からフォワーディング（ｆｏｒｗａｒｄｉｎｇ）される上記端末のパケットを、上記マッピングテーブルを基に上記基地局装置と同一に変換された無線区間専用のＱｏＳレベルで送信する段階；をさらに含むことができる。
【００３０】
具体的に、ハンドオーバーされる端末に対してソース基地局から上記ソース基地局のマッピングテーブルが伝達される段階をさらに含み；上記確認段階及び上記送信段階は、上記ソース基地局のマッピングテーブルが伝達された場合、上記ハンドオーバー過程中に上記ソース基地局からフォワーディングされる上記端末のパケットを、上記ソース基地局から伝達されたマッピングテーブルを基に上記ソース基地局と同一に変換された無線区間専用のＱｏＳレベルで送信することができる。
【００３１】
具体的に、上記確認段階及び上記送信段階は、上記端末で上記ハンドオーバー時に利用中の通信サービスによるアップリンクパケット送信の完了及び上記ハンドオーバーの完了が確認されると、上記確認時点以後、上記端末のパケットを、上記ソース基地局から伝達されたマッピングテーブルの代わりに上記予め保存されているマッピングテーブルを基に変換される無線区間専用のＱｏＳレベルで送信することができる。
【発明の効果】
【００３２】
本発明の実施例によれば、既存のベアラ単位のＱｏＳ制御方式に対比して、複雑度及び負荷の増加なしに無線区間でより細かい単位で差等的なＱｏＳ制御を実現することができる。
【００３３】
これにより、本発明の実施例によれば、無線区間で細かい単位の差等的なＱｏＳ制御を実現することにより、通信サービス別により差等的なＱｏＳすなわちサービス品質を適用する効果を奏する。
【図面の簡単な説明】
【００３４】
【図１】既存のベアラ単位のＱｏＳ制御方式を示した例示図である。
【図２】本発明の実施例による無線区間のＱｏＳ制御方式が実現される流れを示した例示図である。
【図３】本発明の実施例による基地局装置の構成を示したブロック図である。
【図４】本発明の一実施例による無線区間のＱｏＳ制御方法を説明する制御の流れ図である。
【図５】本発明の一実施例による無線区間のＱｏＳ制御方法を説明する制御の流れ図である。
【図６】本発明の一実施例による無線区間のＱｏＳ制御方法を説明する制御の流れ図である。
【図７】本発明の一実施例による無線区間のＱｏＳ制御方法を説明する制御の流れ図である。
【図８】本発明の一実施例による無線区間のＱｏＳ制御方法を説明する制御の流れ図である。
【図９】本発明の一実施例による無線区間のＱｏＳ制御方法を説明する制御の流れ図である。
【図１０】本発明の実施例による無線区間のＱｏＳ制御方法による端末ハンドオーバー時の制御の流れ図である。
【発明を実施するための形態】
【００３５】
以下、添付図面を参照して本発明の実施例について説明する。
【００３６】
本発明に関する具体的な説明に先立って、図１を参照して既存のベアラ単位のＱｏＳ制御方式を説明する。
【００３７】
既存のベアラ単位のＱｏＳ制御方式は、いくつかの種類の通信サービスをまとめて“Ｂｅａｒｅｒ”という論理的単位でＱｏＳを適用（保証）する方式である。
【００３８】
図１に示されているように、端末（ユーザー）が通信サービスを利用するためには、端末（ユーザー）が利用しようとする通信サービスで要求されるＱｏＳを保証するＥＰＳ  Ｂｅａｒｅｒ（以下、Ｂｅａｒｅｒと言う）、例えばＢｅａｒｅｒ１、２が生成される。
このとき、Ｂｅａｒｅｒ１、２それぞれは、Ｄｅｆａｕｌｔ  Ｂｅａｒｅｒでもよく、Ｄｅｄｉｃａｔｅｄ  Ｂｅａｒｅｒでもよい。
【００３９】
図１では、端末が利用する通信サービス１のサービスフロー１、通信サービス２のサービスフロー２が一つのベアラ（Ｂｅａｒｅｒ１）に属し、端末が利用する通信サービス３のサービスフロー３、通信サービス４のサービスフロー４が一つのベアラ（Ｂｅａｒｅｒ２）に属する場合を仮定して示している。
【００４０】
このように仮定する場合、図１から分かるように、Ｂｅａｒｅｒ１を通して伝送されるサービスフロー１、２にはいずれも同一のＱｏＳすなわちＢｅａｒｅｒ１のＱｏＳレベル（ＱｏＳパラメータＡ）が適用され、Ｂｅａｒｅｒ２を通して伝送されるサービスフロー３、４にはいずれも同一のＱｏＳすなわちＢｅａｒｅｒ２のＱｏＳレベル（ＱｏＳパラメータＢ）が適用される。
【００４１】
結局、既存のベアラ単位のＱｏＳ制御方式は、“Ｂｅａｒｅｒ”という論理的単位でＱｏＳを適用するため、ＱｏＳ制御の複雑度を低減できるという長所があるが、これにより一つのベアラに属したサービスフローに対して差等的なＱｏＳを保証することができないという限界がある。
【００４２】
よって、本発明では、既存のベアラ単位のＱｏＳ制御方式よりも細かい単位で差等的なＱｏＳ制御を実現する方案を提案し、特に、ＱｏＳ制御の核心と言える無線区間で実現しようとする。
【００４３】
ところで、細かい単位で差等的なＱｏＳ制御を実現することになれば、既存のベアラ単位のＱｏＳ制御方式に対比してＱｏＳ制御の複雑度及び負荷増加の恐れがある。
【００４４】
よって、本発明では、既存のベアラ単位のＱｏＳ制御方式に対比して、複雑度及び負荷の増加を最小化しながら無線区間でより細かい単位で差等的なＱｏＳ制御を実現することができる方案（以下、無線区間のＱｏＳ制御方式）を提案しようとする。
【００４５】
以下では、本発明で提案する無線区間のＱｏＳ制御方式を実現する装置すなわち基地局装置に関して具体的に説明する。
【００４６】
先ず、図２を参照して、本発明の一実施例による無線区間のＱｏＳ制御方式が実現される流れを説明する。
【００４７】
コアネットワーク２０は、コアネットワーク２０がサービスフローに適用するＱｏＳパラメータを無線区間専用のＱｏＳパラメータに変換するためのマッピングルールを基地局１００に伝達する（Ｓ１）。
【００４８】
このとき、コアネットワーク２０は、既存のベアラ単位のＱｏＳ制御方式をそのまま支援することができる。
【００４９】
この場合、コアネットワーク２０がサービスフローに適用するＱｏＳパラメータは、該当サービスフローが属したベアラのＱｏＳパラメータ（ＱｏＳレベル）と同じである。
【００５０】
よって、コアネットワーク２０が既存のベアラ単位のＱｏＳ制御方式を支援する場合、マッピングルールは、サービスフローに適用するＱｏＳパラメータ（ベアラ単位のＱｏＳパラメータ）別に、ＱｏＳパラメータを無線区間専用のＱｏＳパラメータに変換するためのマッピングルールと言える。
【００５１】
また、コアネットワーク２０は、既存のベアラ単位のＱｏＳ制御方式とは異なり、サービスフロー単位で相異なるＱｏＳを保証（適用）するサービスフロー単位のＱｏＳ制御方式を支援することもできる。
【００５２】
この場合、コアネットワーク２０がサービスフローに適用するＱｏＳパラメータは、サービスフロー別に定義されるＱｏＳパラメータ（ＱｏＳレベル）である。
【００５３】
したがって、コアネットワーク２０がサービスフロー単位のＱｏＳ制御方式を支援する場合、マッピングルールは、サービスフローに適用するＱｏＳパラメータ（サービスフロー単位のＱｏＳパラメータ）別に、ＱｏＳパラメータを無線区間専用のＱｏＳパラメータに変換するためのマッピングルールと言える。
【００５４】
ただし、本発明で提案する無線区間のＱｏＳ制御方式は、コアネットワーク２０がベアラ単位のＱｏＳ制御方式を支援するか又はサービスフロー単位のＱｏＳ制御方式を支援するかに関係なく、後述の同一の構成で後述の同一の効果を得ることができる。
【００５５】
したがって、説明の便宜のために、以下ではコアネットワーク２０がベアラ単位のＱｏＳ制御方式を支援するか又はサービスフロー単位のＱｏＳ制御方式を支援するかについて区分することなく説明する。
【００５６】
基地局１００は、コアネットワーク２０から伝達されるマッピングルールをセットすることができる（Ｓ２）。
【００５７】
このとき、マッピングルールをセットして基地局１００に保存される情報は、コアネットワーク２０でサービスフローに適用するＱｏＳパラメータ（ベアラ単位のＱｏＳパラメータ又はサービスフロー単位のＱｏＳパラメータ）別に、無線区間専用のＱｏＳパラメータをマッピングさせたマッピングテーブルの形態であり得る。
【００５８】
そして、基地局１００は、自身に接続される端末１０とのＲＲＣ（Ｒａｄｉｏ  Ｒｅｓｏｕｒｃｅ  Ｃｏｎｔｒｏｌ）設定過程で（Ｓ３）、ＱｏＳ制御情報をＲＲＣメッセージに含ませて端末１０に提供する。
【００５９】
ここで、ＱｏＳ制御情報は、基地局１００がサービスフロー別に適用する無線区間専用のＱｏＳパラメータを、端末１０が識別できるようにする情報である。
【００６０】
例えば、ＱｏＳ制御情報は、基地局１００が端末１０に提供するサービスフローに適用する無線区間専用のＱｏＳパラメータを含むことができる。
【００６１】
よって、端末１０は、基地局１００から提供されるＱｏＳ制御情報をセットすることができる（Ｓ４）。
【００６２】
基地局１００は、コアネットワーク２０から端末１０に伝送するためのパケットが受信されると（Ｓ５）、該当パケットのサービスフローに適用されているＱｏＳパラメータ（例：ＱｏＳパラメータＡ）を確認する。
【００６３】
そして、基地局１００は、先にセット／保存したマッピングテーブルで、サービスフローに適用されているＱｏＳパラメータにマッピングされた無線区間専用のＱｏＳパラメータを確認する（Ｓ６）。
【００６４】
すなわち、基地局１００は、該当パケット（サービスフロー）に対して、コアネットワーク２０で適用するＱｏＳパラメータ（例：ＱｏＳパラメータＡ）を無線区間専用のＱｏＳパラメータ（例：ＱｏＳパラメータ１）にマッピングさせることにより（Ｓ６）、コアネットワーク２０のＱｏＳレベルを無線区間専用のＱｏＳレベルに変換するのである。
【００６５】
以後、基地局１００は、端末１０への該当パケット送信時、先に確認した無線区間専用のＱｏＳパラメータ（例：ＱｏＳパラメータ１）をパケットに適用して送信する（Ｓ７）。
【００６６】
すなわち、基地局１００は、該当パケットをコアネットワーク２０が適用したＱｏＳレベルから無線区間専用のＱｏＳレベルに変換して送信するのである。
【００６７】
端末１０は、アップリンクパケットが発生すると（Ｓ８）、予めセットしたＱｏＳ制御情報に基づいて、該当サービスフローのダウンリンク時に基地局１００が適用した無線区間専用のＱｏＳパラメータ（例：ＱｏＳパラメータ１）を同一に適用してアップリンクパケットを送信することができる（Ｓ９）。
【００６８】
このように、端末１０は、予めセットしたＱｏＳ制御情報に基づいて、アップリンクパケット送信時にも、ダウンリンク時と同一の無線区間専用のＱｏＳレベルで送信することができる。
【００６９】
基地局１００は、端末１０からアップリンクパケットが受信されると、上述のＳ６段階のＱｏＳマッピングを逆に遂行して、該当アップリンクパケットを無線区間専用のＱｏＳレベルからコアネットワーク２０のＱｏＳレベルに変換して伝送する（Ｓ１０）。
【００７０】
すなわち、基地局１００は、端末１０からアップリンクパケットが受信されると、無線区間専用のＱｏＳパラメータ（例：ＱｏＳパラメータ１）をコアネットワーク２０で適用するＱｏＳパラメータ（例：ＱｏＳパラメータＡ）にマッピングさせた後、アップリンクパケット伝送時にＱｏＳパラメータ（例：ＱｏＳパラメータＡ）を適用して伝送する（Ｓ１０）。
【００７１】
以下では、図３を参照して、本発明の一実施例による無線区間のＱｏＳ制御方式を実現する装置、すなわち基地局装置について具体的に説明する。
【００７２】
そして、説明の便宜のために、図２で言及した基地局１００の参照番号を用いて説明する。
【００７３】
図３に示されているように、本発明の基地局装置１００は、確認部１１０と、送信部１３０を含む。
【００７４】
確認部１１０は、端末に伝送するためのパケットについて、サービスフローに適用されているＱｏＳパラメータに基づいて、上記ＱｏＳパラメータにマッピングされた無線区間専用のＱｏＳパラメータを確認する機能を行う。
【００７５】
送信部１３０は、パケット送信時、確認部１１０で確認した無線区間専用のＱｏＳパラメータを適用して送信することにより、パケットをコアネットワークが適用したＱｏＳレベルから無線区間専用のＱｏＳレベルに変換して送信する機能を行う。
【００７６】
ここで、端末は、基地局装置１００に接続して通信サービスを利用する端末であり、基地局装置１００を通して同時に色々な通信サービスを利用することができる。
【００７７】
以下では、図２に示されている端末１０を言及して説明する。
【００７８】
確認部１１０は、コアネットワーク２０から端末１０に伝送するためのパケットが受信されると、該当パケットのサービスフローに適用されているＱｏＳパラメータを確認する。
例えば、コアネットワーク２０から受信されるダウンリンクパケットのヘッダには、コアネットワーク２０で該当パケットのサービスフローに適用したＱｏＳパラメータが含まれることができる。
【００７９】
この場合、確認部１１０は、端末１０に伝送するためのパケットのヘッダに含まれているＱｏＳパラメータを抽出／確認することにより、パケットのサービスフローに適用されているＱｏＳパラメータを確認することができる。
【００８０】
または、コアネットワーク２０から受信されるダウンリンクパケットのヘッダには、コアネットワーク２０で該当パケットのサービスフローに適用したＱｏＳパラメータが何かを識別可能にする別途のＱｏＳ識別子が含まれることができる。
【００８１】
この場合、確認部１１０は、端末１０に伝送するためのパケットのヘッダに含まれているＱｏＳ識別子を抽出／確認することにより、パケットのサービスフローに適用されているＱｏＳパラメータを確認することができる。
【００８２】
または、基地局装置１００には、コアネットワーク２０で各サービスフローにいずれのＱｏＳパラメータ（ベアラ単位のＱｏＳパラメータ又はサービスフロー単位のＱｏＳパラメータ）を適用するかに関する政策情報が保存されることができる。
【００８３】
この場合、確認部１１０は、端末１０に伝送するためのパケットのヘッダ内の５−ｔｕｐｌｅ、すなわちＳｏｕｒｃｅ  ＩＰ、Ｄｅｓｔｉｎａｔｉｏｎ  ＩＰ、Ｓｏｕｒｃｅ  Ｐｏｒｔ、Ｄｅｓｔｉｎａｔｉｏｎ  Ｐｏｒｔ、Ｐｒｏｔｏｃｏｌ  ＩＤに基づいてパケットのサービスフローを確認し、先に言及した政策情報を基に該当確認したサービスフローにコアネットワーク２０が適用するＱｏＳパラメータを確認することにより、コアネットワーク２０によってパケットのサービスフローに適用されているＱｏＳパラメータを確認することができる。
【００８４】
そして、確認部１１０は、パケットのサービスフローに適用されているＱｏＳパラメータを確認すると、このＱｏＳパラメータにマッピングされた無線区間専用のＱｏＳパラメータを確認する。
【００８５】
このために、基地局装置１００は、コアネットワーク２０がサービスフローに適用するＱｏＳパラメータ別に無線区間専用のＱｏＳパラメータをマッピングさせたマッピングテーブルを保存する保存部１２０をさらに含むことができる。
【００８６】
より具体的に説明すれば、コアネットワーク２０内の指定された特定装備（図示せず）は、コアネットワーク２０がサービスフローに適用するＱｏＳパラメータを無線区間専用のＱｏＳパラメータに変換するためのマッピングルールを基地局装置１００に伝達する。
このとき、コアネットワーク２０は、既存のベアラ単位のＱｏＳ制御方式をそのまま支援することができる。
【００８７】
この場合、コアネットワーク２０がサービスフローに適用するＱｏＳパラメータは、該当サービスフローが属したベアラのＱｏＳパラメータ（ＱｏＳレベル）と同じである。
したがって、コアネットワーク２０が既存のベアラ単位のＱｏＳ制御方式を支援する場合、マッピングルールは、サービスフローに適用するＱｏＳパラメータ（ベアラ単位のＱｏＳパラメータ）別に、ＱｏＳパラメータを無線区間専用のＱｏＳパラメータに変換するためのマッピングルールと言える。
【００８８】
また、コアネットワーク２０は、既存のベアラ単位のＱｏＳ制御方式とは異なり、サービスフロー単位で相異なるＱｏＳを保証（適用）するサービスフロー単位のＱｏＳ制御方式を支援することもできる。
【００８９】
この場合、コアネットワーク２０がサービスフローに適用するＱｏＳパラメータは、サービスフロー別に定義されるＱｏＳパラメータ（ＱｏＳレベル）である。
【００９０】
したがって、コアネットワーク２０がサービスフロー単位のＱｏＳ制御方式を支援する場合、マッピングルールは、サービスフローに適用するＱｏＳパラメータ（サービスフロー単位のＱｏＳパラメータ）別に、ＱｏＳパラメータを無線区間専用のＱｏＳパラメータに変換するためのマッピングルールと言える。
【００９１】
ただし、本発明で提案する無線区間のＱｏＳ制御方式は、コアネットワーク２０がベアラ単位のＱｏＳ制御方式を支援するか又はサービスフロー単位のＱｏＳ制御方式を支援するかに関係なく、後述の同一の構成で後述の同一の効果を得ることができる。
【００９２】
説明の便宜のために、以下では、コアネットワーク２０がベアラ単位のＱｏＳ制御方式を支援するか又はサービスフロー単位のＱｏＳ制御方式を支援するかについて区分することなく説明する。
【００９３】
基地局装置１００は、コアネットワーク２０から伝達されるマッピングルールをセットし、マッピングルールをセットする過程で保存部１２０には、コアネットワーク２０でサービスフローに適用するＱｏＳパラメータ（ベアラ単位のＱｏＳパラメータ又はサービスフロー単位のＱｏＳパラメータ）別に、無線区間専用のＱｏＳパラメータをマッピングさせたマッピングテーブルが保存される。
【００９４】
確認部１１０は、パケットのサービスフローに適用されているＱｏＳパラメータを確認すると、このＱｏＳパラメータにマッピングされた無線区間専用のＱｏＳパラメータを保存部１２０に保存されたマッピングテーブルで確認する。
【００９５】
すなわち、確認部１１０は、該当パケット（サービスフロー）に対して、コアネットワーク２０で適用するＱｏＳパラメータを無線区間専用のＱｏＳパラメータにマッピングさせることにより、コアネットワーク２０のＱｏＳレベルを無線区間専用のＱｏＳレベルに変換するのである。
【００９６】
送信部１３０は、端末１０への該当パケット送信時、確認部１１０で確認した無線区間専用のＱｏＳパラメータを適用することにより、該当パケットをコアネットワーク２０が適用したＱｏＳレベルから無線区間専用のＱｏＳレベルに変換して送信する。
【００９７】
すなわち、送信部１３０は、ダウンリンクパケットを無線区間を通して送信するとき、コアネットワーク２０で該当パケットのサービスフローに適用したＱｏＳパラメータ（ＱｏＳレベル）の代わりに無線区間専用のＱｏＳパラメータ（ＱｏＳレベル）を適用して送信するのである。
【００９８】
このように、本発明では、端末からコアネットワークまでの全体区間（ベアラ）を対象としてＱｏＳを適用する既存のＱｏＳ制御方式とは異なり、端末からコアネットワークまでの全体区間のうち、アクセスとコアネットワークとの間のＱｏＳ制御方式とは別に、端末とアクセス装置（基地局）との間の無線区間（Ｒａｄｉｏ  Ｓｅｃｔｉｏｎ）のＱｏＳ制御を別に具現することができる。
【００９９】
すなわち、本発明の無線区間ＱｏＳ制御方式では、端末からコアネットワークまでの全体区間のうち、ＱｏＳ制御の核心と言える最も敏感な無線区間をＤＲＢ（Ｄａｔａ  Ｒａｄｉｏ  Ｂｅａｒｅｒ）という別途の単位で定義して、無線区間で独立的により細かなＤＲＢ単位で差等的なＱｏＳ制御を実現することができる。
【０１００】
以上では、本発明の無線区間ＱｏＳ制御方式を、ダウンリンクトラフィックを基準として説明した。
【０１０１】
アップリンクトラフィックに対して本発明の無線区間ＱｏＳ制御方式を適用するためには、無線区間ＱｏＳ制御に必要な情報（ＱｏＳ制御情報）を端末に知らせる過程が必要であるが、この過程は、ＱｏＳ制御が細分化されるほど複雑度及び負荷が増加するおそれがある。
【０１０２】
よって、本発明では、複雑度及び負荷の増加を最小化しながら、無線区間ＱｏＳ制御に必要な情報（ＱｏＳ制御情報）を端末に知らせなければならない。
【０１０３】
具体的に、図３に示されているように、本発明の基地局装置１００は、制御情報伝達部１４０をさらに含む。
【０１０４】
制御情報伝達部１４０は、確認部１１０で確認した無線区間専用のＱｏＳパラメータを識別可能にするＱｏＳ制御情報を含むＲＲＣメッセージを端末１０に伝送する。
【０１０５】
より具体的に説明すれば、基地局装置１００に通信サービスを利用しようと端末１０が接続する場合、基地局装置１００と端末１０との間にはＲＲＣ（Ｒａｄｉｏ  Ｒｅｓｏｕｒｃｅ  Ｃｏｎｔｒｏｌ）設定過程が遂行される。
【０１０６】
このとき、制御情報伝達部１４０は、ＲＲＣ設定過程で、ＱｏＳ制御情報をＲＲＣメッセージに含ませて端末１０に提供する。
【０１０７】
ここで、ＱｏＳ制御情報は、基地局装置１００がサービスフロー別に適用する無線区間専用のＱｏＳパラメータを、端末１０が識別できるようにする情報である。
【０１０８】
例えば、ＱｏＳ制御情報は、基地局装置１００が端末１０に提供するサービスフローに適用した無線区間専用のＱｏＳパラメータを含むことができる。
【０１０９】
より具体的に、ＱｏＳ制御情報は、サービスフローの確認に利用される５−ｔｕｐｌｅ（Ｓｏｕｒｃｅ  ＩＰ、Ｄｅｓｔｉｎａｔｉｏｎ  ＩＰ、Ｓｏｕｒｃｅ  Ｐｏｒｔ、Ｄｅｓｔｉｎａｔｉｏｎ  Ｐｏｒｔ、Ｐｒｏｔｏｃｏｌ  ＩＤ）及び無線区間専用のＱｏＳパラメータをマッピングさせた形態を有することにより、基地局装置１００がサービスフロー別に適用した無線区間専用のＱｏＳパラメータを識別可能にする情報であり得る。
【０１１０】
端末１０は、基地局装置１００から提供されるＱｏＳ制御情報をセットして、無線区間のＱｏＳ制御に必要な情報（ＱｏＳ制御情報）を知ることができる。
【０１１１】
端末１０は、ＱｏＳ制御情報に基づいて、該当サービスフローのダウンリンク時に基地局装置１００が適用した無線区間専用のＱｏＳパラメータを同一に適用してアップリンクパケットを送信することができる。
【０１１２】
すなわち、端末１０は、基地局装置１００から提供されてセットしたＱｏＳ制御情報に基づいて、アップリンクパケット送信時にも、ダウンリンク時と同一の無線区間専用のＱｏＳレベルで送信することができる。
【０１１３】
このように、本発明では、ＲＲＣ設定過程でＱｏＳ制御情報を端末に提供することにより、最小限のメッセージのみを使って複雑度及び負荷の増加を最小化しながら、無線区間のＱｏＳ制御に必要な情報（ＱｏＳ制御情報）を端末に知らせることができる。
【０１１４】
一方、本発明で提案する無線区間のＱｏＳ制御方式は、マッピングルール（マッピングテーブル）をどのように定義するかによって、無線区間でのＱｏＳ制御を通して得ることができる性能が変わり得る。
【０１１５】
以下では、本発明の無線区間ＱｏＳ制御方式で、ＱｏＳ制御のためのマッピングルール（マッピングテーブル）をどのように定義するかによる多様な実施例を説明する。
【０１１６】
先ず、最も細かく且つ差等的なＱｏＳ制御のための理想的な例示は、サービスフロー単位で相異なる無線区間専用のＱｏＳレベル（ＤＲＢ）を保証することができる、サービスフロー：ＤＲＢが１：１のマッピングテーブルである。
【０１１７】
このようなサービスフロー：ＤＲＢが１：１のマッピングの場合、サービスフロー別にそれぞれ独立した最適の無線区間専用のＱｏＳレベル（ＤＲＢ）を保証することができるため、サービスフロー単位の差等的なＱｏＳ制御の面では最も優れている。
【０１１８】
しかし、サービスフロー：ＤＲＢが１：１のマッピングの場合、アクセス装置（基地局）での過度なマッピング処理によるオーバーヘッド、多数のＤＲＢ管理によるコストなどにより、既存のＱｏＳ制御方式に対比して複雑度及び負荷の増加のおそれがある。
【０１１９】
よって、本発明では、ＱｏＳ制御のためのマッピングルール（マッピングテーブル）を定義するにあたって、次の３つの実施例を提案する。
【０１２０】
ただし、説明の便宜のために、以下では、コアネットワーク２０がサービスフロー単位のＱｏＳ制御方式を支援すると仮定して説明する。
【０１２１】
このような仮定によると、コアネットワーク２０で受信されるサービスフローには、サービスフロー別に定義されたＱｏＳパラメータ（ＱｏＳレベル）が適用されている。
【０１２２】
先ず、上述の３つの実施例のうちの一実施例（以下、第１実施例）によれば、サービスフロー：ＤＲＢがＭ：Ｎのマッピングを提案する（Ｍ＞Ｎ）。
【０１２３】
第１実施例で、マッピングテーブルは、無線区間専用のＱｏＳパラメータの個数よりもＱｏＳパラメータの個数がより多いことを特徴とする。
【０１２４】
すなわち、コアネットワーク２０で受信されるサービスフローの個数をＭ個と仮定すると、Ｍ個のサービスフローそれぞれに適用されるＭ個のＱｏＳパラメータ（ＱｏＳレベル）をＮ個（Ｍ＞Ｎ）の無線区間専用のＱｏＳパラメータ（ＱｏＳレベル）にマッピングする、サービスフロー：ＤＲＢがＭ：Ｎのマッピングルール（マッピングテーブル）を定義するのである。
【０１２５】
このようなサービスフロー：ＤＲＢがＭ：Ｎの実施例の場合、差等的なＱｏＳ制御の面では１：１のマッピングの場合よりは性能が若干劣るが、既存のベアラ単位のＱｏＳ制御と比較するとき性能が優れている。
【０１２６】
そして、サービスフロー：ＤＲＢがＭ：Ｎの実施例の場合、アクセス装置（基地局）でのマッピング処理によるオーバーヘッド、ＤＲＢ管理によるコストの面では、１：１のマッピングの場合に対比して優れているため、複雑度及び負荷の増加を減らすことができる。
このとき、Ｍ個のＱｏＳパラメータとＮ個の無線区間専用のＱｏＳパラメータとのマッピング関係は、マッピングルール（マッピングテーブル）定義時に決定される。
【０１２７】
一方、上述の３つの実施例のうちの一実施例（以下、第２実施例）によると、サービスフロー：ＤＲＢがＭ：１のマッピングを提案する。
【０１２８】
第２実施例で、マッピングテーブルは、相異なる２以上のＱｏＳパラメータが同一の一つの無線区間専用のＱｏＳパラメータとマッピングされることを特徴とする。
【０１２９】
すなわち、コアネットワーク２０で受信されるＭ個のサービスフローそれぞれに適用されるＭ個のＱｏＳパラメータ（ＱｏＳレベル）を１個の無線区間専用のＱｏＳパラメータ（ＱｏＳレベル）にマッピングする、サービスフロー：ＤＲＢがＭ：１のマッピングルール（マッピングテーブル）を定義する。
【０１３０】
このとき、Ｍ個のサービスフローそれぞれに適用されるＭ個のＱｏＳパラメータ（ＱｏＳレベル）は、コアネットワーク２０から特定サイズ以下の少量データを周期的に伝送する通信サービス、またはモノのインターネット（Ｉｎｔｅｒｎｅｔ  ｏｆ  Ｔｈｉｎｇｓ）サービスに適用するＱｏＳパラメータ（ＱｏＳレベル）を意味する。
【０１３１】
今後、５Ｇ環境で注目されている通信サービスのうちの一つとしては、遠隔地の多数の端末がそれぞれ収集した特定サイズ以下の少量データを周期的に中央（サーバ）に伝送する通信サービス、所謂モノのインターネット（ＩｏＴ）サービスがある。
【０１３２】
このようなモノのインターネット（ＩｏＴ）サービスの中でも、広域カバレッジを対象として低速伝送（＜１ｋｂｐｓ）及び低電力を支援するのに特化したＩｏＴ技術（ＬｏＲａ：Ｌｏｎｇ  Ｒａｎｇｅ）のモノのインターネット（ＩｏＴ）サービスも登場した。
【０１３３】
このようなモノのインターネット（ＩｏＴ）サービスの場合、広域カバレージ／低速伝送（＜１ｋｂｐｓ）／低電力／少量データに特化するため、無線区間でサービスフロー別に差等的なＱｏＳ制御を行うよりは無線リソースを効率的に運用することにより意味がある。
【０１３４】
よって、サービスフロー：ＤＲＢがＭ：１の実施例の場合、モノのインターネット（ＩｏＴ）サービスのＭ個のサービスフローを全て同一の１個の無線区間専用のＱｏＳパラメータ（ＱｏＳレベル）にマッピングすることにより、アクセス装置（基地局）でのマッピング処理によるオーバーヘッド、ＤＲＢ管理によるコストの面で非常に優れているばかりか無線リソース運用効率も高いため、複雑度及び負荷の増加を減らしながらも無線リソース運用効率を高めることができる。
【０１３５】
一方、上述の３つの実施例のうちの一実施例（以下、第３実施例）によると、サービスフロー：ＤＲＢが１：Ｎのマッピングを提案する。
【０１３６】
第３実施例で、マッピングテーブルは、特定ＱｏＳパラメータが適用される一つのサービスフローに対して、サービスフロー内に含まれた各コンテンツのＱｏＳ別に無線区間専用のＱｏＳパラメータがマッピングされることを特徴とする。
【０１３７】
すなわち、コアネットワーク２０で受信される一つのサービスフローに適用される１個の特定ＱｏＳパラメータ（特定ＱｏＳレベル）をＮ個の無線区間専用のＱｏＳパラメータ（ＱｏＳレベル）にマッピングする、サービスフロー：ＤＲＢが１：Ｎのマッピングルール（マッピングテーブル）を定義する。
【０１３８】
このとき、特定ＱｏＳパラメータは、帯域幅を保証しないＮｏｎ−ＧＢＲ（Ｇｕａｒａｎｔｅｅｄ  Ｂｉｔ  Ｒａｔｅ）をサービスタイプとして有するＱｏＳパラメータを意味する。
【０１３９】
コアネットワーク２０で適用するＱｏＳパラメータは、サービスタイプ（Ｒｅｓｏｕｒｃｅ  Ｔｙｐｅ）、ＱＣＩ（ＱｏＳ  Ｃｌａｓｓ  Ｉｄｅｎｔｉｆｉｅｒ）、ＡＲＰ（Ａｌｌｏｃａｔｉｏｎ  ａｎｄ  Ｒｅｔｅｎｔｉｏｎ  Ｐｒｉｏｒｉｔｙ）などを含む。
【０１４０】
サービスタイプは、伝送時に帯域幅を保証するＧＢＲであるか或いは帯域幅を保証しないＮｏｎ−ＧＢＲであるかを示すパラメータである。
【０１４１】
ＱＣＩは、ＱｏＳ優先順位を整数値である１〜９で表現したパラメータである。
【０１４２】
ＡＲＰは、サービスフローによるベアラ生成が要求されるとき、生成または拒絶に関与するパラメータである。
【０１４３】
勿論、ＱｏＳパラメータは、上述のパラメータ以外に他のパラメータも含むことができる。
【０１４４】
帯域幅を保証しないＮｏｎ−ＧＢＲのＱｏＳパラメータが適用された一つのサービスフローでも、サービスフロー内にはＱｏＳ  Ｒｅｑｕｉｒｅｍｅｎｔが異なる各コンテンツのパケットが含まれ得る。
【０１４５】
よって、サービスフロー：ＤＲＢが１：Ｎの実施例の場合、Ｎｏｎ−ＧＢＲの特定ＱｏＳパラメータが適用される一つのサービスフローに対して、サービスフロー内に含まれる各コンテンツ（ＱｏＳ  Ｒｅｑｕｉｒｅｍｅｎｔを基準として確認される各コンテンツ）別に相異なる無線区間専用のＱｏＳパラメータをマッピングして、無線区間ＱｏＳ制御を最も細分化して差等的に適用することができる。
【０１４６】
特に、１：Ｎの第３実施例の場合は、サービスフロー内に含まれる各コンテンツ（コンテンツＱｏＳ）を確認しなければならない構成がさらに要求される。
【０１４７】
よって、第３実施例の場合、確認部１１０は、コアネットワーク２０から端末１０に伝送するためのパケットが受信されると、該当パケットのサービスフローに適用されているＱｏＳパラメータを確認してＮｏｎ−ＧＢＲの特定ＱｏＳパラメータであるか否かを確認する。
【０１４８】
確認部１１０は、ＱｏＳパラメータを確認した結果、Ｎｏｎ―ＧＢＲの特定ＱｏＳパラメータである場合、該当パケットのヘッダ（例：ＩＰパケットのヘッダ）でサービス品質類型（ＤｉｆｆＳｅｒｖ）確認のためのＤＳＣＰ（Ｄｉｆｆｅｒｅｎｔｉａｔｅｄ  ｓｅｒｖｉｃｅｓ  ｃｏｄｅ  ｐｏｉｎｔ）フィールドを見てコンテンツのＱｏＳ（ＱｏＳ  Ｒｅｑｕｉｒｅｍｅｎｔ）を確認することができる。
【０１４９】
そして、確認部１１０は、確認した各コンテンツのＱｏＳ（ＱｏＳ  Ｒｅｑｕｉｒｅｍｅｎｔ）にマッピングされた無線区間専用のＱｏＳパラメータを、第３実施例によるマッピングテーブル（１：Ｎのマッピング）で確認する。
【０１５０】
このようにすれば、送信部１３０は、端末１０への該当パケット送信時、確認部１１０で確認した無線区間専用のＱｏＳパラメータ（一つのサービスフローにおいてコンテンツのＱｏＳ（ＱｏＳ  Ｒｅｑｕｉｒｅｍｅｎｔ）を基準として確認される各コンテンツ別の無線区間専用のＱｏＳパラメータ）を適用して、該当パケットをコアネットワーク２０が適用したＱｏＳレベルから無線区間専用に変換したＱｏＳレベル（サービスフロー内のコンテンツ別）に送信する。
【０１５１】
よって、第３実施例（１：Ｎ）の場合、一つのサービスフローに含まれるコンテンツ別に異なるＮ個の無線区間専用のＱｏＳパラメータ（ＱｏＳレベル）をマッピングすることにより、差等的なＱｏＳ制御の面においては既存のＱｏＳ制御方式（ベアラ単位またはサービスフロー単位）に対比して最も優れている。
【０１５２】
以上で説明したように、本発明の実施例によれば、端末からコアネットワークまでの全体区間のうちアクセスとコアネットワークとの間のＱｏＳ制御方式とは別に端末とアクセス装置（基地局）との間の無線区間（Ｒａｄｉｏ  Ｓｅｃｔｉｏｎ）のＱｏＳ制御を別に具現することにより、無線区間で独立してＤＲＢ単位のＱｏＳ制御を実現することができる。
【０１５３】
さらに、本発明の実施例によれば、マッピングルール（マッピングテーブル）を定義する多様な実施例を通して、独立した無線区間のＱｏＳ制御により懸念される複雑度及び負荷の増加を最小化しながらＱｏＳ制御性能を得ることができ、無線リソース運用効率までも高める効果を期待することができる。
【０１５４】
よって、本発明の無線区間ＱｏＳ制御方式によれば、既存のベアラ単位のＱｏＳ制御方式に対比して、複雑度及び負荷の増加なしに無線区間でより細かい単位で差等的なＱｏＳ制御を実現することにより、通信サービス別により差等的なＱｏＳ（サービス品質）を適用する効果を奏する。
【０１５５】
以下では、図４乃至図９を参照して、本発明の多様な実施例による無線区間のＱｏＳ制御方法を説明する。
【０１５６】
ただし、本発明で提案する無線区間のＱｏＳ制御方法は、基地局１００で具現されるため、以下では説明の便宜上、基地局１００の無線区間ＱｏＳ制御方法と称して説明する。
先ず、図４及び図５を参照して、本発明の第１実施例による無線区間のＱｏＳ制御方法を説明すると次の通りである。
【０１５７】
図４に示されているように、本発明による無線区間のＱｏＳ制御方法、すなわち基地局１００の無線区間ＱｏＳ制御方法は、第１実施例によるマッピングテーブルすなわちサービスフロー：ＤＲＢがＭ：Ｎのマッピングテーブルを保存する（Ｓ１００）。
【０１５８】
基地局１００の無線区間ＱｏＳ制御方法は、端末１０へのパケットが受信されると（Ｓ１１０）、該当パケットのサービスフローに適用されているＱｏＳパラメータ、すなわちコアネットワーク２０によって適用されたＱｏＳパラメータを確認する（Ｓ１２０）。
【０１５９】
基地局１００の無線区間ＱｏＳ制御方法は、Ｓ１２０段階でＱｏＳパラメータを確認すると、ＱｏＳパラメータにマッピングされた無線区間専用のＱｏＳパラメータをＭ：Ｎのマッピングテーブルで確認する（Ｓ１３０）。
【０１６０】
基地局１００の無線区間ＱｏＳ制御方法は、端末１０への該当パケットの送信時、Ｓ１３０段階で確認した無線区間専用のＱｏＳパラメータを適用して送信することにより、該当パケットをコアネットワーク２０が適用したＱｏＳレベルから無線区間専用に変換したＱｏＳレベルで送信することができる（Ｓ１４０）。
【０１６１】
図５を参照すれば、相異なるＱｏＳパラメータＡ、Ｂ、Ｃが適用される各サービスフローのパケット１、２、３が受信される場合を仮定することができる。
【０１６２】
例えば、ＱｏＳパラメータＡが適用されたサービスフロー１のパケット＃１、ＱｏＳパラメータＢが適用されたサービスフロー２のパケット＃１、ＱｏＳパラメータＣが適用されたサービスフロー３のパケット＃１が受信されることができる。
【０１６３】
このように仮定すれば、基地局１００は、各パケットのサービスフローに適用されているＱｏＳパラメータＡ、Ｂ、Ｃを確認した後、ＱｏＳパラメータＡ、Ｂ、Ｃそれぞれにマッピングされた無線区間専用のＱｏＳパラメータをＭ：Ｎのマッピングテーブルで確認する、無線区間専用のＱｏＳマッピングを行う。
【０１６４】
この時、Ｍ：Ｎのマッピングテーブルで、ＱｏＳパラメータＡ、Ｂは無線区間専用のＱｏＳパラメータ１にマッピングされ、ＱｏＳパラメータＣは無線区間専用のＱｏＳパラメータ２にマッピングされると仮定する。
【０１６５】
この場合、基地局１００は、端末１０に伝送するサービスフロー１のパケット＃１及びサービスフロー２のパケット＃１に無線区間専用のＱｏＳパラメータ１を適用して、ＳＮ＃１（サービスフロー１のパケット＃１）及びＳＮ＃２（サービスフロー２のパケット＃１）を送信する。
【０１６６】
また、基地局１００は、端末１０に伝送するサービスフロー３のパケット＃１に無線区間専用のＱｏＳパラメータ２を適用して、ＳＮ＃１（サービスフロー３のパケット＃１）を送信する。
【０１６７】
基地局１００は、上述のように無線区間専用のＱｏＳパラメータ１を適用したＳＮ＃１（サービスフロー１のパケット＃１）及びＳＮ＃２（サービスフロー２のパケット＃１）と無線区間専用のＱｏＳパラメータ２を適用したＳＮ＃１（サービスフロー３のパケット＃１）を送信することにより、相異なるサービスフロー１、２、３のパケットをコアネットワーク２０が適用したＱｏＳレベルから無線区間専用のＱｏＳレベルに変換する、Ｍ：Ｎの無線区間専用ＱｏＳレベルで送信することができる。
【０１６８】
ここで、コアネットワーク２０と基地局１００との間に伝送されるパケットには、該当パケットのサービスフローを基準とするパケットナンバー（＃Ｎ、Ｎ＝１、２、３、．．．）が付与される。
【０１６９】
基地局１００と端末１０との間に伝送されるパケットには、該当パケットが送信されるＤＲＢ（無線区間専用のＱｏＳレベル）を基準とするシーケンスナンバー（ＳＮ  ＃Ｎ、Ｎ＝１、２、３、．．．）が付与される。
【０１７０】
次に、図６及び図７を参照して、本発明の第２実施例による無線区間のＱｏＳ制御方法を説明する。
【０１７１】
図６に示されているように、本発明による基地局１００の無線区間ＱｏＳ制御方法は、第２実施例によるマッピングテーブルすなわちサービスフロー：ＤＲＢがＭ：１のマッピングテーブルを保存する（Ｓ２００）。
【０１７２】
基地局１００の無線区間ＱｏＳ制御方法は、端末１０へのパケットが受信されると（Ｓ２１０）、該当パケットのサービスフローに適用されているＱｏＳパラメータ、すなわちコアネットワーク２０によって適用されたＱｏＳパラメータを確認する（Ｓ２２０）。
【０１７３】
基地局１００の無線区間ＱｏＳ制御方法は、Ｓ２２０段階でＱｏＳパラメータを確認すると、ＱｏＳパラメータにマッピングされた無線区間専用のＱｏＳパラメータをＭ：Ｎのマッピングテーブルで確認する（Ｓ２３０）。
【０１７４】
そして、基地局１００の無線区間ＱｏＳ制御方法は、端末１０への該当パケット送信時、Ｓ２３０段階で確認した無線区間専用のＱｏＳパラメータを適用して送信することにより、該当パケットをコアネットワーク２０が適用したＱｏＳレベルから無線区間専用に変換したＱｏＳレベルで送信することができる（Ｓ２４０）。
【０１７５】
図７を参照すれば、相異なるＱｏＳパラメータＤ、Ｅ、Ｆが適用される各サービスフローのパケット１、２、３が受信される場合を仮定することができる。
【０１７６】
例えば、ＱｏＳパラメータＤが適用されたサービスフロー４のパケット＃１、ＱｏＳパラメータＥが適用されたサービスフロー５のパケット＃１、ＱｏＳパラメータＦが適用されたサービスフロー６のパケット＃１が受信されることができる。
【０１７７】
このように仮定すれば、基地局１００は、各パケットのサービスフローに適用されているＱｏＳパラメータＤ、Ｅ、Ｆを確認した後、ＱｏＳパラメータＤ、Ｅ、Ｆそれぞれにマッピングされた無線区間専用のＱｏＳパラメータをＭ：１のマッピングテーブルで確認する、無線区間専用ＱｏＳマッピングを行う。
【０１７８】
このとき、サービスフロー４、５、６は、広域カバレージ／低速伝送（＜１ｋｂｐｓ）／低電力／少量データに特化したモノのインターネット（ＩｏＴ）サービスと仮定する。
そして、Ｍ：１のマッピングテーブルには、モノのインターネット（ＩｏＴ）サービスに適用されるＱｏＳパラメータＤ、Ｅ、Ｆが無線区間専用のＱｏＳパラメータ３にマッピングされると仮定する。
【０１７９】
この場合、基地局１００は、端末１０に伝送するサービスフロー４のパケット＃１、サービスフロー２のパケット＃１、サービスフロー６のパケット＃１に無線区間専用のＱｏＳパラメータ３を適用して、ＳＮ＃１、＃２、＃３（サービスフロー４、５、６のパケット＃１）を送信することができる。
【０１８０】
基地局１００は、上述のように無線区間専用のＱｏＳパラメータ３を適用したＳＮ＃１、＃２、＃３（サービスフロー４、５、６のパケット＃１）を送信することにより、相異なるサービスフロー４、５、６のパケットをコアネットワーク２０が適用したＱｏＳレベルから無線区間専用のＱｏＳレベルに変換する、Ｍ：１の無線区間専用ＱｏＳレベルで送信することができる。
【０１８１】
次に、図８及び図９を参照して、本発明の第３実施例による無線区間のＱｏＳ制御方法を説明する。
【０１８２】
図８に示されているように、本発明による基地局１００の無線区間ＱｏＳ制御方法は、第３実施例によるマッピングテーブルすなわちサービスフロー：ＤＲＢが１：Ｎのマッピングテーブルを保存する（Ｓ３００）。
【０１８３】
基地局１００の無線区間ＱｏＳ制御方法は、端末１０へのパケットが受信されると（Ｓ３１０）、該当パケットのサービスフローに適用されているＱｏＳパラメータ、すなわちコアネットワーク２０によって適用されたＱｏＳパラメータを確認する（Ｓ３２０）。
このとき、基地局１００の無線区間ＱｏＳ制御方法は、Ｓ３２０段階でＱｏＳパラメータを確認した結果、Ｎｏｎ−ＧＢＲの特定ＱｏＳパラメータである場合ならば、該当パケットのヘッダ（例：ＩＰパケットのヘッダ）でサービス品質類型（ＤｉｆｆＳｅｒｖ）確認のためのＤＳＣＰ（Ｄｉｆｆｅｒｅｎｔｉａｔｅｄ  ｓｅｒｖｉｃｅｓ  ｃｏｄｅ  ｐｏｉｎｔ）フィールドを見てコンテンツのＱｏＳ（ＱｏＳ  Ｒｅｑｕｉｒｅｍｅｎｔ）を確認することができる。
【０１８４】
そして、基地局１００の無線区間ＱｏＳ制御方法は、ＤＳＣＰフィールドを見て確認したコンテンツのＱｏＳ（ＱｏＳ  Ｒｅｑｕｉｒｅｍｅｎｔ）にマッピングされた無線区間専用のＱｏＳパラメータを、１：Ｎのマッピングテーブルで確認する（Ｓ３３０）。
【０１８５】
そして、基地局１００の無線区間ＱｏＳ制御方法は、端末１０への該当パケットの送信時、Ｓ３３０段階で確認した無線区間専用のＱｏＳパラメータ（一つのサービスフローにおいてコンテンツのＱｏＳ（ＱｏＳ  Ｒｅｑｕｉｒｅｍｅｎｔ）を基準として確認される各コンテンツ別の無線区間専用のＱｏＳパラメータ）を適用して、該当パケットをコアネットワーク２０が適用したＱｏＳレベルから無線区間専用に変換したＱｏＳレベル（サービスフロー内のコンテンツ別）で送信する（Ｓ３４０）。
【０１８６】
図９を参照すれば、ＱｏＳパラメータＧ（Ｎｏｎ−ＧＢＲ）が適用されるサービスフロー７のパケット１、２、３が受信される場合を仮定する。
【０１８７】
このように仮定すれば、基地局１００は、各パケット１、２、３のサービスフロー７に適用されているＱｏＳパラメータＧを確認した結果、Ｎｏｎ−ＧＢＲの特定ＱｏＳパラメータである場合ならば、各パケット１、２、３のヘッダでＤＳＣＰフィールドを見てコンテンツのＱｏＳ（ＱｏＳ  Ｒｅｑｕｉｒｅｍｅｎｔ）を確認する。
【０１８８】
このとき、パケット１、２は同一ＱｏＳのコンテンツとして確認され、パケット３は異なるＱｏＳのコンテンツとして確認されると仮定する。
【０１８９】
この場合、基地局１００は、パケット１、２のコンテンツ（ＱｏＳ）にマッピングされた無線区間専用のＱｏＳパラメータを１：Ｍのマッピングテーブルで確認し、パケット３のコンテンツ（ＱｏＳ）にマッピングされた無線区間専用のＱｏＳパラメータを１：Ｍのマッピングテーブルで確認する、無線区間専用ＱｏＳマッピングを行う。
【０１９０】
このとき、１：Ｎのマッピングテーブルには、サービスフロー７に含まれたパケット１、２のコンテンツに無線区間専用のＱｏＳパラメータ４がマッピングされ、サービスフロー７に含まれたパケット３のコンテンツに無線区間専用のＱｏＳパラメータ５がマッピングされると仮定する。
【０１９１】
この場合、基地局１００は、端末１０に伝送するサービスフロー７のパケット＃１、＃２に無線区間専用のＱｏＳパラメータ４を適用して、ＳＮ＃１、ＳＮ＃２（サービスフロー７のパケット＃１、＃２）を送信する。
【０１９２】
また、基地局１００は、端末１０に伝送するサービスフロー７のパケット＃３に無線区間専用のＱｏＳパラメータ５を適用して、ＳＮ＃１（サービスフロー７のパケット＃３）を送信する。
【０１９３】
基地局１００は、上述のように無線区間専用のＱｏＳパラメータ４を適用したＳＮ＃１、ＳＮ＃２（サービスフロー７のパケット＃１、＃２）、無線区間専用のＱｏＳパラメータ５を適用したＳＮ＃１（サービスフロー７のパケット＃３）を送信することにより、一つのサービスフロー７の各パケットをコアネットワーク２０が適用したＱｏＳレベルから無線区間専用のＱｏＳレベルに変換する、１：Ｎの無線区間専用ＱｏＳレベルで送信することができる。
【０１９４】
以上で説明したように、本発明の無線区間のＱｏＳ制御方法は、端末からコアネットワークまでの全体区間のうち、アクセスとコアネットワークとの間のＱｏＳ制御方式とは別に、端末とアクセス装置（基地局）との間の無線区間（Ｒａｄｉｏ  Ｓｅｃｔｉｏｎ）のＱｏＳ制御を別に具現することにより、無線区間で独立してＤＲＢ単位のＱｏＳ制御を実現することができる。
【０１９５】
このように、無線区間でＤＲＢ単位のＱｏＳ制御を実現することになれば、端末の基地局間のハンドオーバー時、ソース基地局とターゲット基地局とでマッピングルール（マッピングテーブル）が相異なる場合、ハンドオーバー過程中にソース基地局とターゲット基地局との間でフォワーディング（ｆｏｒｗａｒｄｉｎｇ）されるパケットが正常に伝送されることができない状況が発生し得る。
【０１９６】
例えば、図５を参照すれば、基地局１００に予め保存されて利用するマッピングテーブルではＱｏＳパラメータＡ、Ｂは無線区間専用のＱｏＳパラメータ１にマッピングされると仮定することができる。
【０１９７】
そして、ＱｏＳパラメータＡが適用された通信サービス１によるサービスフロー１のパケット（例：＃１、＃２、＃３）と、ＱｏＳパラメータＢが適用された通信サービス２によるサービスフロー２のパケット（例：＃１、＃２、＃３）が、基地局１００に受信される状況を仮定する。
【０１９８】
この場合、基地局１００は、自身が利用するマッピングテーブルで、各パケットのサービスフローに適用されているＱｏＳパラメータＡ、Ｂを確認した後、ＱｏＳパラメータＡ、Ｂそれぞれにマッピングされた無線区間専用のＱｏＳパラメータ１を確認する。
【０１９９】
よって、基地局１００は、サービスフロー１のパケット＃１、＃２、＃３及びサービスフロー２のパケット＃１、＃２、＃３それぞれに無線区間専用のＱｏＳパラメータ１を適用し、各パケットが受信された順序によるシーケンスナンバーを付与したＳＮ＃１、＃２、＃３、＃４、＃５、＃６を端末１０に送信する。
【０２００】
このとき、無線区間専用のＱｏＳパラメータ１が適用されたパケットが無線区間で伝送されるトラフィックフローは、ＤＲＢ１と言える。
【０２０１】
以下では、説明の便宜上、サービスフロー１のパケット＃１、＃２、＃３がＤＲＢ１のＳＮ＃１、＃３、＃５であり、サービスフロー２のパケット＃１、＃２、＃３がＤＲＢ１のＳＮ＃２、＃４、＃６であると仮定する。
【０２０２】
ところで、端末１０が通信サービス１、２を利用する間に基地局１００から他の基地局にハンドオーバーする場合が発生し得る。
【０２０３】
以下では、説明の便宜上、端末１０が接続されているソース基地局１００を基地局１００Ａと称し、端末１０がハンドオーバーするターゲット基地局を基地局１００Ｂと称する。
【０２０４】
端末１０が基地局１００Ａに接続して通信サービス１、２を利用する間にターゲット基地局１００Ｂにハンドオーバーする場合、基地局１００Ａ及び基地局１００Ｂが無線区間でのＤＲＢ単位のＱｏＳ制御のために利用（保存）するマッピングルール（マッピングテーブル）が同一であれば大きな問題がない。
【０２０５】
しかし、ソース基地局１００Ａ及びターゲット基地局１００Ｂが利用（保存）するマッピングルール（マッピングテーブル）が相異なる場合がある。
【０２０６】
例えば、基地局１００Ａと異なり、基地局１００Ｂが利用（保存）するマッピングテーブルでは、ＱｏＳパラメータＡが無線区間専用のＱｏＳパラメータ１にマッピングされ、ＱｏＳパラメータＢが無線区間専用のＱｏＳパラメータ２にマッピングされると仮定する。
【０２０７】
そして、上述の例示のような状況、すなわちＱｏＳパラメータＡが適用された通信サービス１によるサービスフロー１のパケット（例：＃１、＃２、＃３）と、ＱｏＳパラメータＢが適用された通信サービス２によるサービスフロー２のパケット（例：＃１、＃２、＃３）が、基地局１００Ａに受信される状況を仮定する。
【０２０８】
この場合、端末１０がソース基地局１００Ａに接続して通信サービス１、２を利用する間にターゲット基地局１００Ｂにハンドオーバーすることになれば、ハンドオーバー過程中に基地局１００Ａは端末１０に伝送するためのサービスフロー１のパケット＃１、＃２、＃３及びサービスフロー２のパケット＃１、＃２、＃３を基地局１００Ｂにフォワーディングする。
【０２０９】
基地局１００Ｂは、自身が利用（保存）するマッピングテーブルで、各パケットのサービスフローに適用されているＱｏＳパラメータＡ、Ｂそれぞれにマッピングされた無線区間専用のＱｏＳパラメータ１、２を確認する。
【０２１０】
よって、基地局１００Ｂは、基地局１００Ａからフォワーディングされたサービスフロー１のパケット＃１、＃２、＃３に無線区間専用のＱｏＳパラメータ１を適用し、各パケットが受信された順序によるシーケンスナンバーを付与したＳＮ＃１、＃２、＃３を端末１０に送信する（ＤＲＢ１）。
【０２１１】
また、基地局１００Ｂは、基地局１００Ａからフォワーディングされたサービスフロー２のパケット＃１、＃２、＃３に無線区間専用のＱｏＳパラメータ２を適用し、各パケットが受信された順序によるシーケンスナンバーを付与したＳＮ＃１、＃２、＃３を端末１０に送信する（ＤＲＢ２）。
【０２１２】
すなわち、基地局１００Ａ及び基地局１００Ｂが利用（保存）するマッピングルール（マッピングテーブル）が相異なる場合、基地局１００Ａはサービスフロー１のパケット＃１、＃２、＃３及びサービスフロー２のパケット＃１、＃２、＃３をＤＲＢ１のＳＮ＃１、＃２、＃３、＃４、＃５、＃６として端末１０に送信するが、基地局１００Ｂは基地局１００Ａからフォワーディングされたサービスフロー１のパケット＃１、＃２、＃３はＤＲＢ１のＳＮ＃１、＃２、＃３として端末１０に送信し、サービスフロー２のパケット＃１、＃２、＃３はＤＲＢ２のＳＮ＃１、＃２、＃３として端末１０に送信することになる。
【０２１３】
この場合、ソース基地局１００Ａから提供されたＱｏＳ制御情報をセットしている端末１０の立場では、サービスフロー２のパケット＃１、＃２、＃３が、基地局１００Ｂから受信することになればＤＲＢ２のＳＮ＃１、＃２、＃３として受信され、基地局１００Ａから受信することになればＤＲＢ１のＳＮ＃２、＃４、＃６として受信される、シーケンスナンバーの不一致が発生し得る。
【０２１４】
結局、基地局１００Ａ及び基地局１００Ｂが利用（保存）するマッピングルール（マッピングテーブル）が相異なる場合、上述のシーケンスナンバーの不一致により、ハンドオーバー過程中にフォワーディング（ｆｏｒｗａｒｄｉｎｇ）されるパケットが端末１０に正常に伝送されることができない状況まで発生し得る。
【０２１５】
よって、本発明では、端末のハンドオーバー時、ハンドオーバー過程中にフォワーディングされるパケットが端末に正常に伝送されることができるようにする解決方案を提案する。
【０２１６】
具体的に、図３に示されているように、本発明の基地局装置１００は、ハンドオーバー制御部１５０をさらに含む。
【０２１７】
ハンドオーバーに関連する本発明の一実施例によれば、ハンドオーバー制御部１５０は、端末がターゲット基地局にハンドオーバーする場合、保存部１２０のマッピングテーブル（マッピングルール）をターゲット基地局に伝達する。
【０２１８】
こうすると、ターゲット基地局は、ハンドオーバー過程中に基地局装置１００からフォワーディング（ｆｏｒｗａｒｄｉｎｇ）される端末のパケットを、基地局装置１００から伝達されたマッピングテーブル（マッピングルール）を基に基地局装置１００と同一に変換された無線区間専用のＱｏＳレベルで送信することができる。
【０２１９】
また、ハンドオーバー制御部１５０は、ソース基地局からハンドオーバーされる端末に対してソース基地局で利用するマッピングテーブル（マッピングルール）の伝達を受けることができる。
【０２２０】
このようにすると、ハンドオーバー制御部１５０は、ハンドオーバー過程中にソース基地局からフォワーディングされる端末のパケットを、ソース基地局から伝達されたマッピングテーブル（マッピングルール）を基にソース基地局と同一に変換された無線区間専用のＱｏＳレベルで送信するように、確認部１１０及び送信部１３０と連動する。
【０２２１】
具体的に説明すれば、本発明の基地局装置１００は、端末１０のハンドオーバーの観点でみるとき、ソース基地局になることもあれば、ターゲット基地局になることもある。
【０２２２】
本発明の基地局装置１００がソース基地局（例：１００Ａ）である場合ならば、ハンドオーバー制御部１５０は、端末１０がターゲット基地局１００Ｂにハンドオーバーする場合、保存部１２０のマッピングテーブル（マッピングルール）をターゲット基地局１００Ｂに伝達する。
【０２２３】
例えば、ハンドオーバー制御部１５０は、端末１０から報告される測定情報に基づいて端末１０に対するハンドオーバーを決定すると、ターゲット基地局１００Ｂにハンドオーバー要請（Ｈａｎｄｏｖｅｒ  Ｒｅｑｕｅｓｔ）を伝送することになる。
【０２２４】
このとき、ハンドオーバー制御部１５０は、ハンドオーバー要請（Ｈａｎｄｏｖｅｒ  Ｒｅｑｕｅｓｔ）伝送時、保存部１２０のマッピングテーブル（マッピングルール）をターゲット基地局１００Ｂに伝達することができる。
【０２２５】
勿論、ハンドオーバー制御部１５０は、ハンドオーバー要請（Ｈａｎｄｏｖｅｒ  Ｒｅｑｕｅｓｔ）伝送の他にも、端末１０がターゲット基地局１００Ｂにハンドオーバーするための諸般動作を遂行し、このようなハンドオーバー過程中にコアネットワーク２０から受信される端末１０に対するパケットをターゲット基地局１００Ｂにフォワーディングする。
【０２２６】
このようにすれば、ターゲット基地局１００Ｂは、ハンドオーバー過程中に基地局装置１００すなわちソース基地局（例：１００Ａ）からフォワーディングされる端末１０のパケットを、ソース基地局（例：１００Ａ）から伝達されたマッピングテーブル（マッピングルール）を基にソース基地局（例：１００Ａ）と同一に変換された無線区間専用のＱｏＳレベルで送信することが可能になる。
【０２２７】
本発明の基地局装置１００がターゲット基地局（例：１００Ｂ）である場合ならば、ハンドオーバー制御部１５０は、ソース基地局１００Ａからハンドオーバーされる端末１０に対してソース基地局１００Ａで利用するマッピングテーブル（マッピングルール）の伝達を受けることになる。
【０２２８】
例えば、ハンドオーバー制御部１５０は、ソース基地局１００Ａからのハンドオーバー要請（Ｈａｎｄｏｖｅｒ  Ｒｅｑｕｅｓｔ）受信時、共に伝送されるソース基地局１００Ａのマッピングテーブル（マッピングルール）を受信する方式で伝達を受けることができる。
【０２２９】
勿論、ハンドオーバー制御部１５０は、ハンドオーバー要請（Ｈａｎｄｏｖｅｒ  Ｒｅｑｕｅｓｔ）受信時、端末１０がソース基地局１００Ｂからターゲット基地局１００Ｂにハンドオーバーするための諸般動作を遂行し、このようなハンドオーバー過程中にソース基地局１００Ｂからフォワーディングされるパケットを端末１０に送信する。
【０２３０】
このとき、ハンドオーバー制御部１５０は、ハンドオーバー過程中にソース基地局１００Ａからフォワーディングされる端末１０のパケットを、ソース基地局１００Ａから伝達されたマッピングテーブル（マッピングルール）を基に、無線区間専用のＱｏＳレベルに変換して送信するように確認部１１０及び送信部１３０と連動する。
【０２３１】
すなわち、確認部１１０は、ハンドオーバー制御部１５０との連動によって、ソース基地局１００Ａからフォワーディングされる端末１０のパケットに対して、保存部１２０に保存されたマッピングテーブル（マッピングルール）の代わりにソース基地局１００Ａから伝達されたマッピングテーブル（マッピングルール）を基に、無線区間専用のＱｏＳパラメータにマッピングさせる。
【０２３２】
このようにすれば、確認部１１０は、ハンドオーバー制御部１５０との連動によって、ソース基地局１００Ａからフォワーディングされた端末１０のパケットをソース基地局１００Ａと同一の無線区間専用のＱｏＳレベルに変換することができる。
【０２３３】
そして、送信部１３０は、ハンドオーバー制御部１５０との連動によって、フォワーディングされた端末１０のパケットの送信時、確認部１１０で確認した無線区間専用のＱｏＳパラメータをパケットに適用する。
【０２３４】
このようにすれば、送信部１３０は、ハンドオーバー制御部１５０との連動によって、フォワーディングされた端末１０のパケットをソース基地局１００Ａと同一に変換した無線区間専用のＱｏＳレベルで送信することができる。
【０２３５】
上述と同一の状況を仮定する時、基地局１００Ａ及び基地局１００Ｂが利用（保存）するマッピングルール（マッピングテーブル）が相異なっても、ターゲット基地局１００Ｂはハンドオーバー過程中にフォワーディングされるデータ（パケット）に対してはソース基地局１００Ａのマッピングルール（マッピングテーブル）を同一に利用することができる。
【０２３６】
このため、ソース基地局１００Ａがサービスフロー１のパケット＃１、＃２、＃３及びサービスフロー２のパケット＃１、＃２、＃３をＤＲＢ１のＳＮ＃１、＃２、＃３、＃４、＃５、＃６として端末１０に送信するならば、ターゲット基地局１００Ｂも、ソース基地局１００Ａからフォワーディングされたサービスフロー１のパケット＃１、＃２、＃３及びサービスフロー２のパケット＃１、＃２、＃３をＤＲＢ１のＳＮ＃１、＃２、＃３、＃４、＃５、＃６として端末１０に送信することができる。
【０２３７】
よって、ソース基地局１００Ａから提供されたＱｏＳ制御情報をセットしている端末１０の立場では、ハンドオーバー過程中に無線区間接続がソース基地局１００Ａからターゲット基地局１００Ｂに変更された後も、シーケンスナンバーの不一致が発生しないため、ソース基地局１００Ａからターゲット基地局１００Ｂにフォワーディングされたパケットの伝送を全て正常に受けることができる。
【０２３８】
さらに、ハンドオーバー制御部１５０は、端末１０でハンドオーバー時に利用中の通信サービス１、２によるアップリンクパケット送信の完了及び該当ハンドオーバーの完了を確認する。
【０２３９】
例えば、ハンドオーバー制御部１５０は、端末１０から通信サービス１、２によるアップリンクパケット送信の完了を知らせるメッセージが受信されると、これに対する応答メッセージを返信しながら端末１０でのアップリンクパケット送信の完了を確認することができる。
【０２４０】
また、ハンドオーバー制御部１５０は、ソース基地局１００Ａからフォワーディングされるパケットのうちエンドマーカー（Ｅｎｄ  Ｍａｒｋｅｒ）パケットが確認されると、該当ハンドオーバーの完了として確認することができる。
【０２４１】
または、ハンドオーバー制御部１５０は、ハンドオーバー過程の全ての手順が終了すると、該当ハンドオーバーの完了を確認することもできる。
【０２４２】
よって、ハンドオーバー制御部１５０は、端末１０でのアップリンクパケット送信の完了及び該当ハンドオーバーの完了が全て確認されると、この確認時点以後、コアネットワーク２０から受信される端末１０のパケットに対して、ソース基地局１００Ａから伝達されたマッピングテーブルの代わりに保存部１２０に予め保存されているマッピングテーブル（マッピングルール）を基に、無線区間専用のＱｏＳレベルに変換して送信するように確認部１１０及び送信部１３０と連動する。
【０２４３】
すなわち、確認部１１０は、端末１０に対する上述の確認時点以後からは、端末１０のパケットに対して、保存部１２０に保存されたマッピングテーブル（マッピングルール）を基に、無線区間専用のＱｏＳパラメータにマッピングさせる。
【０２４４】
このようにすれば、確認部１１０は、端末１０に対する上述の確認時点以後から、端末１０のパケットを、保存部１２０に保存されたマッピングテーブル（マッピングルール）による無線区間専用のＱｏＳレベルに変換することができる。
【０２４５】
そして、送信部１３０は、端末１０のパケット送信時、確認部１１０で確認した無線区間専用のＱｏＳパラメータを適用して、端末１０のパケットを無線区間専用に変換したＱｏＳレベルで送信することができる。
【０２４６】
端末１０は、ソース基地局１００Ａからターゲット基地局１００Ｂにハンドオーバーする過程中、ソース基地局１００Ａからターゲット基地局１００Ｂに無線区間接続が変更される時、ＱｏＳ制御情報を受信することができる。
【０２４７】
より具体的に、端末１０は、ハンドオーバー過程中、ＲＲＣ設定過程でターゲット基地局１００ＢからＱｏＳ制御情報を受信することができる。
【０２４８】
よって、端末１０では、通信サービス１、２によるアップリンクパケット送信の完了を知らせるメッセージを送信した後、先に受信しておいたターゲット基地局１００ＢからのＱｏＳ制御情報をセットすることができる。
【０２４９】
以下では、上述と同一の状況で、端末１０に対する上述の確認時点以後、コアネットワーク２０からＱｏＳパラメータＡが適用された通信サービス１によるサービスフロー１のパケット（例：＃６、＃７、＃８）と、ＱｏＳパラメータＢが適用された通信サービス２によるサービスフロー２のパケット（例：＃６、＃７、＃８）が受信される状況を仮定する。
【０２５０】
この場合、基地局装置１００（ターゲット基地局１００Ｂ）は、自身が利用（保存）するマッピングテーブルを基に、サービスフロー１のパケット＃６、＃７、＃８に無線区間専用のＱｏＳパラメータ１を適用し、各パケットが受信された順序によるシーケンスナンバーを付与したＳＮ＃１、＃２、＃３を端末１０に送信する（ＤＲＢ１）。
【０２５１】
また、この場合、基地局装置１００（ターゲット基地局１００Ｂ）は、自身が利用（保存）するマッピングテーブルを基に、サービスフロー２のパケット＃６、＃７、＃８に無線区間専用のＱｏＳパラメータ２を適用し、各パケットが受信された順序によるシーケンスナンバーを付与したＳＮ＃１、＃２、＃３を端末１０に送信する（ＤＲＢ２）。
【０２５２】
このとき、端末１０は、基地局装置１００（ターゲット基地局１００Ｂ）から提供されたＱｏＳ制御情報をセットしているため、パケットの伝送を正常に受けるにあたって全く問題がなく、これを基にアップリンクパケットを送信する場合も全く問題がない。
【０２５３】
以下では、ハンドオーバーに関連する本発明の他の実施例を説明する。
【０２５４】
ハンドオーバー制御部１５０は、端末がターゲット基地局にハンドオーバーする場合、サービスフロー単位のパケットナンバー情報をターゲット基地局に伝達する。
【０２５５】
このようにすれば、ターゲット基地局は、ハンドオーバー過程中に基地局装置１００（ソース基地局１００Ａ）からフォワーディング（ｆｏｒｗａｒｄｉｎｇ）される上記端末のパケットを基地局装置１００と相異なって変換された無線区間専用のＱｏＳレベルで送信しても、パケットナンバー情報を基にサービスフロー単位のパケットナンバーの順序を維持することができる。
【０２５６】
具体的に説明すれば、本発明の基地局装置１００がソース基地局（例：１００Ａ）である場合と仮定すれば、ハンドオーバー制御部１５０は、端末１０がターゲット基地局１００Ｂにハンドオーバーする場合、ターゲット基地局１００Ｂへのハンドオーバー要請（Ｈａｎｄｏｖｅｒ  Ｒｅｑｕｅｓｔ）伝送の他にも、端末１０がターゲット基地局１００Ｂにハンドオーバーするためのシグナリング送受信などの諸般動作を行う。
【０２５７】
ハンドオーバー制御部１５０は、このような諸般動作中に、基地局装置１００と端末１０との間で伝送されるパケットに付与したＤＲＢ（無線区間専用のＱｏＳレベル）単位のシーケンスナンバー（ＳＮ＃Ｎ、Ｎ＝１、２、３、．．．）に対するシーケンスナンバー情報（例：ＳＮ  Ｓｔａｔｕｓ  Ｔｒａｎｓｆｅｒ）を、ターゲット基地局１００Ｂに伝達する。
【０２５８】
このとき、本発明でハンドオーバー制御部１５０は、ＤＲＢ単位のシーケンスナンバー情報のみならず、追加的にコアネットワーク２０と基地局１００との間で伝送されるパケットに付与されたサービスフロー単位のパケットナンバー（＃Ｎ、Ｎ＝１、２、３、．．．）に対するパケットナンバー情報を、ターゲット基地局１００Ｂにさらに伝達する。
【０２５９】
ＤＲＢ単位のシーケンスナンバー情報は、ＰＤＣＰ（Ｐａｋｅｔ  Ｄａｔａ  Ｃｏｎｖｅｒｇｅｎｃｅ  Ｐｒｏｔｏｃｏｌ）  Ｌａｙｅｒレベルの情報であり得る。
【０２６０】
サービスフロー単位のパケットナンバー情報は、ＳＤＡＰ（Ｓｅｒｖｉｃｅ  Ｄａｔａ  Ａｐｐｌｉｃａｔｉｏｎ  Ｐｒｏｔｏｃｏｌ）  Ｌａｙｅｒレベルの情報であり得る。
【０２６１】
このようにすれば、ターゲット基地局１００Ｂは、ハンドオーバー過程中にフォワーディングされる端末１０のパケットに対して、自身に保存されたマッピングテーブル（マッピングルール）を基に変換された無線区間専用のＱｏＳレベルで送信するため、ターゲット基地局１００Ｂを通してフォワーディング／伝送される端末１０のパケットはソース基地局（例：１００Ａ）と同一のＤＲＢで送信されることもあれば、異なるＤＲＢで送信されることもあるが、サービスフロー単位のパケットナンバー順序は維持されることができる。
【０２６２】
よって、ハンドオーバー過程中に端末１０の立場では、ソース基地局１００Ａから受信されるパケットのＤＲＢ基準のシーケンスナンバー（ＳＮ＃Ｎ）とターゲット基地局１００Ｂから受信されるパケットのＤＲＢ基準のシーケンスナンバー（ＳＮ＃Ｎ）との不一致が発生しても、パケットのサービスフロー単位のパケットナンバー（＃Ｎ）を基準としてフォワーディングされたパケットの伝送を全て正常に受けることができるようになる。
【０２６３】
一方、本発明の基地局装置１００がターゲット基地局（例：１００Ｂ）である場合と仮定すれば、ハンドオーバー制御部１５０は、ソース基地局１００Ａからのハンドオーバー要請（Ｈａｎｄｏｖｅｒ  Ｒｅｑｕｅｓｔ）受信時、ＤＲＢ単位のシーケンスナンバー情報のみならず、追加的にサービスフロー単位のパケットナンバー情報の伝達をターゲット基地局１００Ｂから受けることができる。
【０２６４】
このようにすれば、基地局装置１００は、ハンドオーバー過程中にフォワーディングされる端末１０のパケットに対して、自身に保存されたマッピングテーブル（マッピングルール）を基に変換された無線区間専用のＱｏＳレベルで送信するため、ターゲット基地局１００Ｂを通してフォワーディング／伝送される端末１０のパケットは、ソース基地局１００Ａと同一のＤＲＢで送信されることもあれば、異なるＤＲＢで送信されることもあるが、サービスフロー単位のパケットナンバー順序は維持されることができる。
【０２６５】
以下では、図１０を参照して、本発明の実施例による無線区間のＱｏＳ制御方法による端末ハンドオーバー時の制御の流れを説明する。
【０２６６】
図１０に関する説明に先立って、基地局１００ＡのマッピングテーブルでＱｏＳパラメータＡ、Ｂは無線区間専用のＱｏＳパラメータ１（ＤＲＢ１）にマッピングされると仮定し、基地局１００ＢのマッピングテーブルでＱｏＳパラメータＡは無線区間専用のＱｏＳパラメータ１（ＤＲＢ１）にマッピングされ、ＱｏＳパラメータＢは無線区間専用のＱｏＳパラメータ２（ＤＲＢ２）にマッピングされると仮定する。
【０２６７】
そして、端末１０は通信サービス１、２を利用し、これにより通信サービス１によるサービスフロー１のパケット（例：＃１、＃２、＃３）と、ＱｏＳパラメータＢが適用された通信サービス２によるサービスフロー２のパケット（例：＃１、＃２、＃３）が受信される状況を仮定する。
【０２６８】
基地局１００Ａは、自身のマッピングテーブルで、各パケットのサービスフローに適用されているＱｏＳパラメータＡ、Ｂを確認した後、ＱｏＳパラメータＡ、Ｂそれぞれにマッピングされた無線区間専用のＱｏＳパラメータ１を確認する。
【０２６９】
よって、基地局１００Ａは、サービスフロー１のパケット＃１、＃２、＃３及びサービスフロー２のパケット＃１、＃２、＃３それぞれに無線区間専用のＱｏＳパラメータ１を適用し、各パケットが受信された順序によるシーケンスナンバーを付与したＳＮ＃１、＃２、＃３、＃４、＃５、＃６を端末１０に送信する（ＤＲＢ１）。
【０２７０】
このとき、基地局１００Ａは端末１０から報告される測定情報に基づいて端末１０に対するハンドオーバーを決定すると（Ｓ４００）、端末１０がターゲット基地局１００Ｂにハンドオーバーできるようにする情報（ハンドオーバー制御）を端末１０に伝送し（Ｓ４１０）、これと共にターゲット基地局１００Ｂにハンドオーバー要請（Ｈａｎｄｏｖｅｒ  Ｒｅｑｕｅｓｔ）を伝送することになる（Ｓ４２０）。
【０２７１】
このとき、基地局１００Ａは、ハンドオーバー要請（Ｈａｎｄｏｖｅｒ  Ｒｅｑｕｅｓｔ）伝送時、保存部１２０のマッピングテーブル（マッピングルール）をターゲット基地局１００Ｂに伝達することができる。
【０２７２】
そして、端末１０、ソース基地局１００Ａ、ターゲット基地局１００Ｂ及びコアネットワーク２０の間には、端末１０がソース基地局１００Ａからターゲット基地局１００Ｂにハンドオーバーするためのシグナリングが送受信されるなど、ハンドオーバー諸般動作が行われる（Ｓ４３０）。
【０２７３】
このようなハンドオーバー過程中、基地局１００ＢはＲＲＣ設定過程で端末１０に基地局１００Ｂ自身のＱｏＳ制御情報を伝送することができる（Ｓ４４０）。
【０２７４】
一方、端末１０は、ハンドオーバー過程の序盤に、基地局１００Ａとの無線区間接続を切りターゲット基地局１００Ｂに無線区間接続が切り換えられる。
【０２７５】
そして、基地局１００Ａは、ハンドオーバー過程中、コアネットワーク２０から受信される端末１０のパケットをターゲット基地局１００Ｂにフォワーディングする（Ｓ４５０）。
【０２７６】
基地局１００Ｂは、ハンドオーバー過程中にソース基地局１００Ａからフォワーディングされる端末１０のパケットに対して、Ｓ４２０段階でソース基地局１００Ａから伝達されたマッピングテーブル（マッピングルール）を適用する（Ｓ４６０）。
【０２７７】
すなわち、基地局１００Ｂは、フォワーディングされる端末１０のサービスフロー１、２のパケットに対して、ソース基地局１００Ａから伝達されたマッピングテーブル（マッピングルール）を基に、コアネットワーク２０で適用するＱｏＳパラメータＡ、Ｂを無線区間専用のＱｏＳパラメータ１にマッピングさせることにより、フォワーディングされた端末１０のパケットをソース基地局１００Ａと同一に変換した無線区間専用のＱｏＳレベル（ＤＲＢ１）で送信する（Ｓ４７０）。
【０２７８】
よって、ソース基地局１００Ａから提供されたＱｏＳ制御情報をセット（維持）している端末１０の立場では、ハンドオーバー過程中に無線区間接続がソース基地局１００Ａからターゲット基地局１００Ｂに変更された後も、シーケンスナンバーの不一致が発生しないため、ソース基地局１００Ａからターゲット基地局１００Ｂにフォワーディングされたパケットの伝送を全て正常に受けることができるようになる。
【０２７９】
勿論、端末１０は、サービスフロー１、２のアップリンクパケット発生時、セット（維持）しているソース基地局１００ＡからのＱｏＳ制御情報を基に、ダウンリンク時に基地局１００Ｂが適用した無線区間専用のＱｏＳパラメータ（例：ＱｏＳパラメータ１）をアップリンクパケットに同一に適用することにより、ダウンリンクと同一の無線区間専用のＱｏＳレベル（ＤＲＢ１）で送信する（Ｓ４８０）。
【０２８０】
よって、基地局１００Ｂは、端末１０からアップリンクパケットが受信されると、上述のＳ４６０段階のＱｏＳマッピングを逆に行って無線区間専用のＱｏＳパラメータ（例：ＱｏＳパラメータ１）をコアネットワーク２０で適用するＱｏＳパラメータ（例：ＱｏＳパラメータＡまたはＢ）にマッピング及び適用して（Ｓ４９０）、コアネットワーク２０に伝送すればよい。
【０２８１】
基地局１００Ｂは、端末１０から通信サービス１、２によるアップリンクパケット送信の完了を知らせるメッセージが受信されると（Ｓ５００）、これに対する応答メッセージを返信しながら端末１０でのアップリンクパケット送信の完了を確認することができる。
また、基地局１００Ｂは、多様な方式で該当ハンドオーバーの完了を確認することができる。
【０２８２】
よって、基地局１００Ｂは、端末１０でのアップリンクパケット送信の完了及び該当ハンドオーバーの完了が全て確認されると、この確認時点以後、コアネットワーク２０から受信される端末１０のパケットに対して、ソース基地局１００Ａから伝達されたマッピングテーブルの代わりに保存部１２０に予め保存されているマッピングテーブル（マッピングルール）を基に変換される無線区間専用のＱｏＳレベルで送信する。
【０２８３】
例えば、端末１０は通信サービス１、２を利用し、これにより通信サービス１によるサービスフロー１のパケット（例：＃６、＃７、＃８）と、ＱｏＳパラメータＢが適用された通信サービス２によるサービスフロー２のパケット（例：＃６、＃７、＃８）が受信される状況を仮定する。
【０２８４】
基地局１００Ｂは、サービスフロー１のパケット＃６、＃７、＃８及びサービスフロー２のパケット＃６、＃７、＃８に対して、ソース基地局１００Ａから伝達されたマッピングテーブルの代わりに自身のマッピングテーブル（マッピングルール）を適用する（Ｓ５２０）。
【０２８５】
よって、基地局１００Ｂは、サービスフロー１のパケット＃６、＃７、＃８に対して無線区間専用のＱｏＳパラメータ１を適用し各パケットが受信された順序によるシーケンスナンバーを付与したＳＮ＃１、＃２、＃３を端末１０に送信し（ＤＲＢ１）、サービスフロー２のパケット＃６、＃７、＃８に対して無線区間専用のＱｏＳパラメータ２を適用し各パケットが受信された順序によるシーケンスナンバーを付与したＳＮ＃１、＃２、＃３を送信することができる（ＤＲＢ２）。
【０２８６】
以上で説明したように、本発明による無線区間のＱｏＳ制御方法は、多様なコンピュータ手段を通して遂行可能なプログラム命令形態で具現されてコンピュータ読取可能媒体に記録されることができる。上記コンピュータ読取可能媒体は、プログラム命令、データファイル、データ構造などを単独で又は組み合わせて含むことができる。上記媒体に記録されるプログラム命令は、本発明のために特別に設計され構成されたものであるか、コンピュータソフトウェア当業者に公知となっていて使用可能なものであり得る。コンピュータ読取可能記録媒体の例には、ハードディスク、フロッピーディスク及び磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような光磁気媒体（ｍａｇｎｅｔｏ−ｏｐｔｉｃａｌ  ｍｅｄｉａ）、及びＲＯＭ、ＲＡＭ、フラッシュメモリなどのようなプログラム命令を保存して遂行するように特別に構成されたハードウェア装置が含まれる。プログラム命令の例には、コンパイラによって作られるもののような機械語コードだけでなくインタプリタなどを使ってコンピュータによって実行されることができる高級言語コードを含む。上記のハードウェア装置は、本発明の動作を遂行するために一つ以上のソフトウェアモジュールとして作動するように構成されることができ、その逆も同様である。
【０２８７】
以上、本発明を望ましい実施例を参照して詳しく説明したが、本発明が上記の実施例に限定されるものではなく、以下の特許請求の範囲で請求する本発明の要旨を逸脱しない範囲で本発明の属する技術分野において通常の知識を有する者ならば誰でも多様な変形又は修正が可能な範囲まで本発明の技術的思想が及ぶと言える。
【図１】
0006983885.tif 000002
【図２】
0006983885.tif 000003
【図３】
0006983885.tif 000004
【図４】
0006983885.tif 000005
【図５】
0006983885.tif 000006
【図６】
0006983885.tif 000007
【図７】
0006983885.tif 000008
【図８】
0006983885.tif 000009
【図９】
0006983885.tif 000010
【図１０】
0006983885.tif 000011